(57)【特許請求の範囲】
【請求項１】
配布元から利用者への供給の対象となる供給デジタルデータにその関連情報を埋め込んで得られる、異なる電子透かし方式に対応した種々の情報埋込みデジタルデータを受けて処理するデータ処理装置であって、
入力デジタルデータとして所要の情報埋め込みデジタルデータを取得するデータ取得手段と、
上記入力デジタルデータに対応する、上記関連情報の埋め込み処理に用いられた使用電子透かし方式を示す使用方式情報を取得する方式情報取得手段と、
該取得された使用方式情報に基づいて、上記使用電子透かし方式により上記入力デジタルデータから上記関連情報を抽出する情報抽出手段と、
上記入力デジタルデータ，あるいはこれに所定のデータ処理を施して得られた処理デジタルデータに、上記抽出された関連情報，あるいは該関連情報を加工して得られる加工情報を、既定の電子透かし方式により埋め込む情報埋め込み手段とを備えたことを特徴とするデータ処理装置。
【請求項２】
請求項１記載のデータ処理装置において、
上記情報埋め込みデジタルデータに埋め込まれている関連情報は、上記供給デジタルデータの著作権者に関連する情報であることを特徴とするデータ処理装置。
【請求項３】
請求項１記載のデータ処理装置において、
上記情報埋め込み手段は、上記関連情報あるいは上記加工情報を、上記既定の電子透かし方式により上記入力デジタルデータに埋め込んで出力デジタルデータを生成する構成となっていることを特徴とするデータ処理装置。
【請求項４】
請求項３記載のデータ処理装置において、
上記出力デジタルデータを再生するデータ再生部を有することを特徴とするデータ処理装置。
【請求項５】
請求項３記載のデータ処理装置において、
上記出力デジタルデータを記録するデータ記録部を有することを特徴とするデータ処理装置。
【請求項６】
請求項１記載のデータ処理装置において、
上記方式情報取得手段により取得された使用方式情報に基づいて、上記入力デジタルデータから上記関連情報を除去して、情報除去デジタルデータを上記処理デジタルデータとして生成する情報除去手段を備え、
上記情報埋め込み手段は、上記関連情報あるいは上記加工情報を、上記既定の電子透かし方式により上記情報除去デジタルデータに埋め込んで出力デジタルデータを生成する構成となっていることを特徴とする情報処理装置。
【請求項７】
請求項６記載のデータ処理装置において、
上記出力デジタルデータを再生するデータ再生部を有することを特徴とするデータ処理装置。
【請求項８】
請求項６記載のデータ処理装置において、
上記出力デジタルデータを記録するデータ記録部を有することを特徴とするデータ処理装置。
【請求項９】
請求項１記載のデータ処理装置において、
上記情報埋め込みデジタルデータは、固定長の第１のデータ部分と可変長の第２のデータ部分とから構成されており、
上記第１のデータ部分には、上記使用電子透かし方式により、この使用電子透かし方式を示す使用方式情報が埋め込まれており、
上記方式情報取得手段は、上記入力デジタルデータの第１のデータ部分から、上記使用電子透かし方式を示す使用方式情報を取得する構成となっていることを特徴とするデータ処理装置。
【請求項１０】
請求項１記載のデータ処理装置において、
上記情報埋め込みデジタルデータは複数のデータパケットを含むデータ構造となっており、
該複数のデータパケットのうちの所定のデータパケットのヘッダには、上記使用電子透かし方式を示す使用方式情報が含まれており、
上記方式情報取得手段は、上記情報埋め込みデジタルデータにおける所定のデータパケットのヘッダから、上記使用電子透かし方式を示す使用方式情報を取得する構成となっていることを特徴とするデータ処理装置。
【請求項１１】
請求項１記載のデータ処理装置において、
上記情報埋め込みデジタルデータには補助データ部分が付随しており、
該補助データ部分には、上記使用電子透かし方式を示す使用方式情報が含まれており、
上記方式情報取得手段は、上記情報埋め込みデジタルデータに付随する補助データ部分から、上記使用電子透かし方式を示す使用方式情報を取得する構成となっていることを特徴とするデータ処理装置。
【請求項１２】
請求項１記載のデータ処理装置において、
上記データ取得手段は、複数のデータ記録媒体及び複数のデータ通信経路の少なくとも１つから上記情報埋め込みデジタルデータを取得可能な構成となっており、
上記方式情報取得手段は、上記情報埋め込みデジタルデータを上記複数のデータ記録媒体及び複数のデータ通信経路のいずれから取得したかに応じて、上記使用電子透かし方式を判定して、この判定結果に対応する使用方式情報を取得する構成となっていることを特徴とするデータ処理装置。
【請求項１３】
請求項１記載のデータ処理装置において、
上記情報埋め込みデジタルデータは、音声デジタルデータ，映像デジタルデータ，または音声デジタルデータ及び映像デジタルデータを多重化して得られる多重デジタルデータであることを特徴とするデータ処理装置。
【請求項１４】
請求項１記載のデータ処理装置において、
上記データ取得手段は、放送局からの放送電波を受信するアンテナと、該アンテナからの受信出力を復調して上記情報埋め込みデジタルデータを出力する受信波デコーダとを有するものであることを特徴とするデータ処理装置。
【請求項１５】
請求項１記載のデータ処理装置において、
上記データ取得手段は、大容量記憶装置から、これに格納されている上記情報埋め込みデジタルデータを読み出すデータ読み出し装置を有するものであることを特徴とするデータ処理装置。
【請求項１６】
請求項１５記載のデータ処理装置において、
上記データ読み出し装置は、ＤＶＤ−ＲＯＭ，ＤＶＤ−ＲＡＭ，または半導体記録メディアから、上記情報埋め込みデジタルデータを読み出すアクセス装置を有するものであることを特徴とするデータ処理装置。
【請求項１７】
請求項１記載のデータ処理装置において、
上記情報埋め込みデジタルデータは、上記供給デジタルデータに、複数の電子透かし方式により複数の関連情報を埋め込んで得られたものであり、
上記情報埋め込みデジタルデータには、上記使用電子透かし方式を示す使用方式情報として、上記複数の電子透かし方式に対応する使用方式情報が含まれており、
上記情報抽出手段は、上記複数の電子透かし方式に対応する使用方式情報に基づいて、上記入力デジタルデータから、上記複数の電子透かし方式の各々に対応する関連情報を抽出可能な構成となっていることを特徴とするデータ処理装置。
【請求項１８】
請求項１記載のデータ処理装置において、
上記情報埋め込みデジタルデータは、上記供給デジタルデータに、複数の電子透かし方式により複数の関連情報を埋め込んで得られたものであり、
上記情報埋め込み手段は、上記入力デジタルデータに、上記複数の関連情報のうちの所定のものを上記既定の電子透かし方式により埋め込んで出力デジタルデータを生成する構成となっていることを特徴とするデータ処理装置。
【請求項１９】
請求項１記載のデータ処理装置において、
上記情報埋め込みデジタルデータは、上記供給デジタルデータに、複数の電子透かし方式により複数の関連情報を埋め込んで得られたものであり、
上記情報埋め込み手段は、上記入力デジタルデータに、上記複数の関連情報のうちの所定数の関連情報を、上記複数の電子透かし方式のうちの対応する電子透かし方式，あるいは上記複数の電子透かし方式のいずれとも異なる対応する電子透かし方式により埋め込んで出力デジタルデータを生成する構成となっていることを特徴とするデータ処理装置。
【請求項２０】
請求項６記載のデータ処理装置において、
上記情報埋め込みデジタルデータは、上記供給デジタルデータに、複数の電子透かし方式により複数の関連情報を埋め込んで得られたものであり、
上記情報埋め込み手段は、上記加工デジタルデータに、上記複数の関連情報のうちの所定のものを上記既定の電子透かし方式により埋め込んで出力デジタルデータを生成する構成となっていることを特徴とするデータ処理装置。
【請求項２１】
請求項６記載のデータ処理装置において、
上記情報埋め込みデジタルデータは、上記供給デジタルデータに、複数の電子透かし方式により複数の関連情報を埋め込んで得られたものであり、
上記情報埋め込み手段は、上記加工デジタルデータに、上記複数の関連情報のうちの所定数の関連情報を、上記複数の電子透かし方式のうちの対応する電子透かし方式，あるいは上記複数の電子透かし方式のいずれとも異なる対応する電子透かし方式により埋め込んで出力デジタルデータを生成する構成となっていることを特徴とするデータ処理装置。
【請求項２２】
配布元から利用者への供給の対象となる供給デジタルデータにその関連情報を埋め込んで得られる情報埋め込みデジタルデータを記録したデータ記録媒体であって、
該情報埋め込みデジタルデータは、
固定長の第１のデータ部分と可変長の第２のデータ部分とから構成され、
該第１のデータ部分には、上記供給デジタルデータに対する関連情報の埋め込み処理に用いられた使用電子透かし方式を示す使用方式情報が埋め込まれ、
上記第２のデータ部分には、該使用方式情報により示される使用電子透かし方式により、上記関連情報が埋め込まれ、
上記使用方式情報に基づいて適切な電子透かし方式を用いて、上記第２のデータ部分から上記関連情報を抽出あるいは除去する処理が可能なデータ構造となっていることを特徴とするデータ記録媒体。
【請求項２３】
請求項２２記載のデータ記録媒体において、
上記情報埋め込みデジタルデータの第１のデータ部分には、既定の電子透かし方式により、上記使用方式情報が埋め込まれていることを特徴とするデータ記録媒体。
【請求項２４】
請求項２２記載のデータ記録媒体において、
上記情報埋め込みデジタルデータの第１のデータ部分には、上記使用方式情報として、上記供給デジタルデータへの関連情報の埋め込み処理に用いられた、異なる使用電子透かし方式を示す複数の使用方式情報が含まれていることを特徴とするデータ記録媒体。
【請求項２５】
デジタルデータとして、配布元から利用者への供給の対象となる供給デジタルデータにその関連情報を埋め込んで得られる情報埋め込みデジタルデータと、該情報埋め込みデジタルデータに付随する、上記供給デジタルデータへの関連情報の埋め込み処理に用いられた使用電子透かし方式を示す使用方式情報とを記録したデータ記録媒体であって、
上記情報埋め込みデジタルデータは、上記使用方式情報に基づいて適切な電子透かし方式を用いて上記関連情報を抽出あるいは除去する処理が可能なデータ構造となっていることを特徴とするデータ記録媒体。
【請求項２６】
請求項２５記載のデータ記録媒体において、
上記使用方式情報として、上記供給デジタルデータへの関連情報の埋め込み処理に用いられた、異なる電子透かし方式を示す複数の使用方式情報が記録されていることを特徴とするデータ記録媒体。
【発明の詳細な説明】
【０００１】
【発明の属する技術分野】
本発明はデータ処理装置及びデータ記録媒体に関し、特に電子配信により、あるいは記録媒体から取得した音楽データ等のデジタルデータに、特定の電子透かし方式、例えば汎用のデータ再生機器にて採用されている既定の電子透かし方式により、電子透かし（埋め込み情報）を埋め込む処理に関するものである。
【０００２】
【従来の技術】
近年、映像データ，音声データなどのデジタル化が進む一方で、デジタルデータについてはそのオリジナルデータの完全なコピーの作成が容易であることが大きな問題になってきている。
こうした問題に対する一つの対応策として電子透かし技術の利用が挙げられる。なお、特開平９−１９１３９４号公報や特開平９−１９１３９５号公報には、電子透かし技術についての詳細が開示されている。
電子透かし技術は、映像データや音声データといった、再生処理の対象となる本来のデジタルデータをそのコピーが不可能なものとするための直接的な手法ではなく、上記のようなデジタルデータにその著作権に関連する著作権情報などを埋め込むことによって、該デジタルデータのコピーを制限するための技術である。
例えば、映像データ，音声データなどのデジタルデータに、その著作者の氏名（情報の出所）を示す著作権情報などを電子透かしとして埋め込んでおくことによって、デジタルデータがコピーされたときには著作権情報（電子透かし）もコピーされることとなる。これによって、著作権者は違法なコピーによって作成された映像データや音声データなどのデジタルデータを発見したときに、その違法性を、該デジタルデータに埋め込まれた著作権情報によって証明することが可能となる。
【０００３】
以下、電子透かし技術について具体的に説明する。
図１８は、画像に対する電子透かし技術として、配布元から利用者への供給の対象となる映像デジタルデータ（供給デジタルデータ）に、このデータの著作権者に関連する情報（関連情報）Ｄwmiを挿入する処理の一例について説明する。なお、この関連情報は、電子透かしあるいは埋め込み情報と呼ばれる。
ここでは、説明を簡単にするため、図１８(a)に示すように、画像Ｆはグレイスケールの静止画であるとし、そのサイズは縦５０画素×横５０画素とする。また、上記画像Ｆを構成する各画素Ｐは、その明るさを示す輝度レベル（画素値）として０〜９９の範囲内の整数値をとるものとする。
【０００４】
上記電子透かしの挿入処理では、最初に、上記画像Ｆを、所定数の画素（縦１０画素×横１０画素）からなる複数のブロックＢに細分化する。つまり、元の静止画Ｆは、図１８(b)に示すように２５個のブロック（縦５ブロック×横５ブロック）に細分化される。このとき該各ブロック（小画像）Ｂに対応する画像データを構成する画素値は、１０行１０列の行列における各要素の値として表される。
次に、この行列に対して、離散コサイン変換（ＤＣＴ）を施して１０行１０列の変換行列を得る。この変換行列の右下部分に配置された数値は、原画像に対応する画像データの高周波成分を表す数値である。
【０００５】
ところで、人間の視覚は、画像データの高周波成分の変化に対する感覚がその低周波成分の変化に対する感覚に比べて鈍いという特性を有していることが知られている。言いかえると、原画像に対してその高周波成分の値を若干異なる値に変更する画像処理を施しても、この画像処理が施された画像（再構成画像）と原画像との相違を人間が視覚により認識することは極めて困難である。ここで再構成画像は、具体的には、上記変換行列に逆離散コサイン変換を施して得られる逆変換行列から再構成された画像データに対応する画像である。
画像に対する電子透かし技術は、上記のような人間の視覚特性を利用したものであり、原画像の高周波成分を操作することによって、原画像の画質の劣化を視聴者に感じさせることなく、原画像に対する画像データに情報を埋め込むことが可能なものである。
【０００６】
このような電子透かし技術は、画像に対するものだけでなく、音声に対するものもある。また、電子透かし技術には、情報が埋め込まれた画像データや音声データから、埋め込み情報を抽出したり除去したりすることが可能なものもある。
さらにこのような電子透かし技術によれば、デジタルデータをデジタル記録媒体からデジタル記録媒体へコピーする際に、デジタルデータに埋め込まれた埋め込み情報もコピーされるようにすることができるだけではなく、デジタル記録媒体に記録されたデジタルデータをＤＡコンバーターにより一旦アナログデータに変換してアナログ記録媒体に記録した場合にも、アナログ記録媒体に記録されているアナログデータに埋め込み情報が保持されるようにすることが可能である。
【０００７】
以下、音声に対する電子透かし技術について説明する。
図１９は、デジタル音声データに対する情報埋め込み処理，情報抽出処理を概念的に示している。
音声データファイルＯＤauとして記録されているデジタル音声データに、署名データ（埋め込み情報）Ｄwmiを挿入する処理Ｐadが行われて、署名データが挿入されたデジタル音声データが、署名データ挿入済み音声データファイルＳＤauとして記録される。
音声データファイルＯＤauとして記録されているデジタル音声データと、署名データ挿入済み音声データファイルＳＤauとして記録するされているデジタル音声データとに基づいて、デジタル音声データに挿入された署名データＤwmxを抽出する処理Ｐexが行われる。
【０００８】
図２０は、上記情報埋め込み処理のフローを示している。
最初の処理としては、デジタル音声データのブロック化が行われる（ステップＳ１）。この処理は、デジタル音声データを、後の処理に都合がよい、一定数のサンプリングデータからなるデータグループ（ブロック）に分割する処理である。
次に、各ブロックに対してフーリエ変換処理が施される（ステップＳ２）。なお、フーリエ変換のための演算処理の詳細については後述する。
その後、電子透かし（埋め込み情報）の挿入処理として、以下のデータ変換が行われる。
ここで、電子透かしは複数ビットのデジタルデータ（署名データ）により構成されており、該署名データの各ビットは、各ブロックに対応している。
【０００９】
まず、署名データのブロック列（署名データのビット列）を構成する各ビットの値が０か１を確認する処理が行われる（ステップＳ３）。対応するビットの値が０であるブロックに対しては電子透かしの挿入は行わない。対応するビットの値が１であるブロックに対しては、電子透かしの挿入処理として、このブロックに対応する音楽データのフーリエ変換により得られた関数（以下フーリエ変換関数という。）の虚部と実部を入れ替えて、実部に-1をかける処理が行われる（ステップＳ４）。この処理はブロック毎に行われる。
そして、ブロック毎にフーリエ変換関数にフーリエ逆変換処理が施される（ステップＳ５）。これにより、各ブロックの音声データが復元される。なお、フーリエ逆変換の処理の詳細については後述する。
以上の処理によって、人間が音声を聴いただけでは感知できない埋め込み情報がデジタル音声データに挿入される。
【００１０】
以下、上記電子透かし技術における各処理について説明する。
まず、フーリエ変換およびフーリエ逆変換について簡単に説明する。電子透かし（埋め込み情報）の挿入において使用されるフーリエ変換は、離散フーリエ変換と呼ばれるもので、以下のように定義される。
離散一次元実数値関数f(n) (n ∈  Z, 0 ≦ n < N) が与えられた時、f(n)の離散フーリエ変換により得られる関数は、（式１）により与えられる離散一次元複素数関数  F(k) (k ∈ Z, 0 ≦ k < N)により定義される。
ここで、Ｚは整数全体の集合を示す。また（式１）は、（式２）及び（式３）により与えられる条件を満たす。
【００１１】
【数１】
0004087537.tif 000002
【数２】
0004087537.tif 000003
【数３】
0004087537.tif 000004
また、以下に離散逆フーリエ変換について説明する。
離散一次元実数値関数f(n) (n ∈  Z, 0 ≦ n < N) が与えられ、離散一次元複素数値関数 F(k) (k ∈ Z, 0 ≦ k < N)が、f(n)の離散フーリエ変換により得られる関数であれば、以下の（式４）が成り立つ。
ここで、Ｚは整数全体の集合を示す。また（式４）は、（式５）及び（式６）により与えられる条件を満たす。
【数４】
0004087537.tif 000005
【数５】
0004087537.tif 000006
【数６】
0004087537.tif 000007
次に、音声データに対する具体的な電子透かしの埋め込み処理について説明する。
図２１を用いて、音声データのブロック化について説明する。
ブロック化とは、電子透かしの挿入対象となるデジタル音声データ（挿入対象音声データ）のサンプル値Sound(i)を、２のべき乗数（2n）のサンプルからなるブロックの集まりとして表すことを意味する。ここでは、挿入対象音声データのブロック化により得られる全ブロックの数を（ｔ＋１）個とし、最初のブロックをブロックB0とし、ｋ（任意の値）番目のブロックをブロックBkとし、最後のブロックをブロックBtとしている。また、ｋ番目のブロックBkのサンプル値をBk(j)としている。
そして、挿入対象音声データのサンプル値Sound(i)と、ブロック内の各サンプルの値Bk(j)との関係は、以下の（式７）により表される。
【００１２】
【数７】
0004087537.tif 000008
ただし、Ｚは整数全体の集合を表し、ｋ，ｊはk,j∈ Zを、ｉはi = 2nk + j (0 ≦ j < 2n)を満たす。
なお、言うまでもないが、ここで用いている変数ｎ，ｋは、上記一般的な離散一次フーリエ変換を定義する式（式１）、及び離散一次逆フーリエ変換を定義する式（式４）における変数ｎ，ｋとは別の変数を意味している。
【００１３】
次に、電子透かしの挿入処理について説明する。
まず、上記k番目のブロック Bkの音声データ（サンプル値）Bk(j)を、離散フーリエ変換して得られるデータをFk(m)とする。ここで、ｋは上記ブロックB0〜Btのうちの任意のブロックBkを表す変数であり、k ∈ Z, k ∈ [0, ｔ（全ブロック数）]を満たす。
また、挿入データビット列を一次元の離散整数値関数U(d)により定義し、上記データFk (m)(m ∈ Z, m ∈ [1, 2n])に、上記関数U(d)により定義される挿入データビット列の各ビットの値に応じて情報を埋め込む処理を施して得られるデータをF’k(m)とする。
ただし、ここでは、d, dn は、条件（d, dn∈ Z）を満たす。そして、dn がdn < 2n-1を満たす場合は、U(d)はU(d) = 1 or 0となる。ｄがd ∈ [1, dn]を満たさない場合は、U(d)はU(d) = 0となる。
すると、F’k (m)は、以下の（式８）〜（式１５）により表される。ただし、ｍは m ∈ Z, m ∈ [1, 2n-1]を満たす。
【００１４】
【数８】
0004087537.tif 000009
【数９】
0004087537.tif 000010
【数１０】
0004087537.tif 000011
【数１１】
0004087537.tif 000012
【数１２】
0004087537.tif 000013
【数１３】
0004087537.tif 000014
【数１４】
0004087537.tif 000015
【数１５】
0004087537.tif 000016
ここで、上記（式８）〜（式１１）は、2n個のデータ（サンプル値）Bk(j)を離散フーリエ変換して得られる2n個のデータ（周波数成分）Fk (m)のうちの低周波成分に対して適用されるものである。また、上記（式１２）〜（式１５）は、2n個のデータ（サンプル値）Bk(j)を離散フーリエ変換して得られる2n個のデータ（周波数成分）Fk (m)のうちの高周波成分に対して適用されるものである。
また、（式９），（式１１），（式１３），（式１５）に示すように、上記署名データビット列における対応するビットの値が０であるブロックに対しては電子透かしの挿入は行わない。一方、（式８），（式１０），（式１２），（式１４）に示すように、上記署名データビット列における対応するビットの値が１であるブロックに対しては、電子透かしの挿入処理として、このブロックに対応する音楽データ（サンプル値）Bk(j)のフーリエ変換により得られるデータFk (m)の虚部と実部を入れ替えて、実部に-1をかける処理が行われる。
さらに、電子透かしの挿入処理は、埋め込み対象音声データがこれに対する情報の埋め込みより聞く人に違和感を与えるものとならないよう、低周波数側のフーリエ変換データとこれに対応する高周波数側のフーリエ変換データとを対にして行うようにしている。ここでは、電子透かしの挿入処理が施された第ｍ番目のフーリエ変換データF'k (m)は、電子透かしの挿入処理が施された第（２n−ｍ＋１）番目のフーリエ変換データF'k (2n-m+1)に対応させている。
【００１５】
次に、電子透かしの抽出処理について説明する。
図２２は、埋め込み情報の抽出処理のフローを示している。
まず、情報埋め込み処理が施されている音声データのブロック化（ステップＳ１１ａ）及び各ブロックの音声データのフーリエ変換（ステップＳ１２ａ）を行う。また、情報埋め込み処理が施されていない音声データのブロック化（ステップＳ１１ｂ）及び各ブロックの音声データのフーリエ変換（ステップＳ１２ｂ）を行う。
そして、フーリエ変換の結果得られたデータを、情報埋め込み処理が施されている音声データのブロックと、情報埋め込み処理が施されていない音声データのブロックの間で、対応するブロックごとに比較する（ステップＳ１３）。
比較の結果、両ブロック間でデータが一致していれば、情報埋め込み処理が施されているブロックには埋め込み情報が埋め込まれておらず、署名データビットは０であると判定される（ステップＳ１４）。両ブロック間でデータが違っていれば、情報埋め込み処理が施されているブロックには電子透かしが埋め込まれており、署名データビットは１であると判定される（ステップＳ１５）。
この処理を各ブロックについて繰り返すことにより、署名データを構成するビット列（埋め込み情報）が抽出される。
【００１６】
次に、具体的な電子透かし（埋め込み情報）の挿入、抽出処理について説明する。
まず、各ブロックに対する埋め込み情報の挿入処理について説明する。
以下の挿入処理の説明では、署名データ挿入の対象となる、１ブロック内の音声データ（サンプル値）をSound(n)とし、該１ブロック内の音声データSound(n)のフーリエ変換により得られるデータに挿入される署名データビット列をsyomei[u]とする。また、 挿入対象となる音声データSound(n)を離散フーリエ変換して得られるデータをF[Sound](p)とし、このデータF[Sound](p)に、署名データビット列を埋め込む処理を施して得られるデータをF’[Sound](p)とする。
ここで、上記音声データSound(n)は、整数空間上で定義された関数であり、整数値をその値として有する関数である。なお、ｎは、n = 0,1,…Nとしている。
また、署名データビット列syomei[u]も整数空間上で定義された関数（式１６参照）であり、0,1のみをその値として有する関数である。なお、ｕは、u = 0,1としている。
【００１７】
【数１６】
0004087537.tif 000017
また、音声データSound(n)をフーリエ変換すると、対応するフーリエ変換データF[Sound](p)（式１７）が得られる。
【数１７】
0004087537.tif 000018
このとき、F[Sound](p)は、整数空間上で定義される関数で、複素数をその値として有する関数である。なお、ｐは、p = 0,1,… Nとしている。
ここで、上記複素数であるフーリエ変換データF[Sound](p)の実数部分をRe{F[Sound] (p)}とし、その虚数部分をIm{F[Sound](p)}とすると、F’[Sound](p)は、署名データビット列syomei[u]の値に応じて、上記（式８）〜（式１５）を用いて表せる。
【００１８】
このとき、１ブロックに対応するフーリエ変換データF[Sound](p)に挿入される署名データビット列がsyomei[0] = 1であるとすると、フーリエ変換データF[Sound](p)の１ビット目の値F[Sound](1)と、Ｎビット目の値F[Sound](N)に対して、上記（式８），（式１０），（式１２），（式１４）を用いて、情報埋め込み処理が行われる。
下記の（式１８）〜（式２１）は、この情報埋め込み処理により得られるフーリエ変換データF’[Sound](1)，F’[Sound](N)を示している。
【００１９】
【数１８】
0004087537.tif 000019
【数１９】
0004087537.tif 000020
【数２０】
0004087537.tif 000021
【数２１】
0004087537.tif 000022
ここでも、Re,Imはそれぞれ{}内の複素数の実数部と虚数部を表す。
【００２０】
一方、１ブロックに対応する音声データSound(n)に挿入される署名データビット列がsyomei[1] = 0であるとすると、フーリエ変換データF[Sound](p)の２ビット目の値F[Sound](2)と、（Ｎ−１）ビット目の値F[Sound](N-1)に対して、上記（式９），（式１１），（式１３），（式１５）を用いて、情報埋め込み処理が行われる。
下記の（式２２）〜（式２５）は、この情報埋め込み処理により得られるフーリエ変換データF’[Sound](2)，F’[Sound](N-1)を示している。
【００２１】
【数２２】
0004087537.tif 000023
【数２３】
0004087537.tif 000024
【数２４】
0004087537.tif 000025
【数２５】
0004087537.tif 000026
このように１ブロックに対応する音声データSound(n)に対応するフーリエ変換データF[Sound](p)に上記（式８）〜（式１５）を用いて情報埋め込み処理を施して得られるデータF’[Sound](p)を離散フーリエ逆変換することにより、（式２６）に示すように情報埋め込み音声データSound’(n)が得られる。
【数２６】
0004087537.tif 000027
次に埋め込み情報の抽出処理について簡単に説明する。
この抽出処理では、Sound(n)とSound’(n)をそれぞれフーリエ変換し、それぞれのフーリエ変換データを比較する処理が行われる。そして、以下に示すように、両者の値が違っていれば署名ビットデータを１とし、両者の値が同じであれば署名データビットを０として、署名データビット列が取り出される。
【００２２】
以下にそのアルゴリズムを簡単に示す。
{}内のnは１から順番にNまで動く。
0004087537.tif 000028
【００２３】
【発明が解決しようとする課題】
上述したように、近年、画像データや音声データの著作権を保護する方法として、これらのデータに出所表示を目的としてその関連情報である、著作権者などを示す情報を埋め込む電子透かし技術が実用化されてきている。
ところが、デジタルデータにその関連情報を埋め込む電子透かし方式には種々のものがあり、現状では、著作権情報が埋め込まれたデジタルデータを、既定の電子透かし方式を採用した再生装置などで取り扱うことは困難である。
【００２４】
また、一方では、映像データや音声データを、配布媒体（データ記録媒体）により配布するのではなく、ネットワークを介して配信するシステム（電子配信システム）が考えられている。
このような電子配信システムでは、映像データの配信には、そのデータ量が大きいことから大きな技術的な課題があるが、音楽データの配信は、そのデータ量が映像データに比べて比較的に小さいことから、現状の限られたネットワーク帯域でも実現が容易であり、実施されようとしている。
そこで、電子配信する音楽データにも、電子透かし方式により著作権者などを特定する関連情報（埋め込み情報）を埋め込んで、音楽データの情報源を識別可能とするシステムが必要となってくる。
【００２５】
本発明は、上記のような問題点を解決するためになされたもので、音声データに対する電子配信を最適に行うことができ、しかもこのような電子配信される音声データに対する著作権を保護することができるデータ処理装置を得ることを目的とする。
本発明は、種々の電子透かし方式により情報の埋め込み処理が施されたデジタルデータを、既定の電子透かし方式により処理可能なデータに変換することができるデータ処理装置を得ることを目的とする。
本発明は、音声データに対する電子配信を最適に行うことができ、しかもこのような電子配信される音声データに対する著作権を保護することができるデータ構造を有するデジタルデータを格納したデータ記録媒体を得ることを目的とする。
本発明は、種々の電子透かし方式により情報の埋め込み処理が施されたデジタルデータとして、既定の電子透かし方式により処理可能なデータ構造を有するデジタルデータを格納したデータ記録媒体を得ることを目的とする。
【００２６】
【課題を解決するための手段】
この発明（請求項１）に係るデータ処理装置は、配布元から利用者への供給の対象となる供給デジタルデータにその関連情報を埋め込んで得られる、異なる電子透かし方式に対応した種々の情報埋込みデジタルデータを受けて処理するデータ処理装置であって、入力デジタルデータとして所要の情報埋め込みデジタルデータを取得するデータ取得手段と、上記入力デジタルデータに対応する、上記関連情報の埋め込み処理に用いられた使用電子透かし方式を示す使用方式情報を取得する方式情報取得手段と、該取得された使用方式情報に基づいて、上記使用電子透かし方式により上記入力デジタルデータから上記関連情報を抽出する情報抽出手段と、上記入力デジタルデータ，あるいはこれに所定のデータ処理を施して得られた処理デジタルデータに、上記抽出された関連情報，あるいは該関連情報を加工して得られる加工情報を上記既定の電子透かし方式により埋め込む情報埋め込み手段とを備えたものである。
【００２７】
この発明（請求項２）は、請求項１記載のデータ処理装置において、上記情報埋め込みデジタルデータに埋め込まれている関連情報を、上記供給デジタルデータの著作権者に関連する情報としたものである。
【００２８】
この発明（請求項３）は、請求項１記載のデータ処理装置において、上記情報埋め込み手段を、上記関連情報あるいは上記加工情報を、上記既定の電子透かし方式により上記入力デジタルデータに埋め込んで出力デジタルデータを生成する構成としたものである。
【００２９】
この発明（請求項４）は、請求項３記載のデータ処理装置において、上記出力デジタルデータを再生するデータ再生部を有するものである。
【００３０】
この発明（請求項５）は、請求項３記載のデータ処理装置において、上記出力デジタルデータを記録するデータ記録部を有するものである。
【００３１】
この発明（請求項６）は、請求項１記載のデータ処理装置において、上記方式情報取得手段により取得された使用方式情報に基づいて、上記入力デジタルデータから上記関連情報を除去して、情報除去デジタルデータを上記処理デジタルデータとして生成する情報除去手段を備え、上記情報埋め込み手段を、上記関連情報あるいは上記加工情報を、上記既定の電子透かし方式により上記情報除去デジタルデータに埋め込んで出力デジタルデータを生成する構成としたものである。
【００３２】
この発明（請求項７）は、請求項６記載のデータ処理装置において、上記出力デジタルデータを再生するデータ再生部を有するものである。
【００３３】
この発明（請求項８）は、請求項６記載のデータ処理装置において、上記出力デジタルデータを記録するデータ記録部を有するものである。
【００３４】
この発明（請求項９）は、請求項１記載のデータ処理装置において、上記情報埋め込みデジタルデータを、固定長の第１のデータ部分と可変長の第２のデータ部分とから構成し、上記第１のデータ部分には、上記使用電子透かし方式により、この使用電子透かし方式を示す使用方式情報を埋め込み、上記方式情報取得手段を、上記入力デジタルデータの第１のデータ部分から、上記使用電子透かし方式を示す使用方式情報を取得する構成としたものである。
【００３５】
この発明（請求項１０）は、請求項１記載のデータ処理装置において、上記情報埋め込みデジタルデータを、複数のデータパケットを含むデータ構造とし、該複数のデータパケットのうちの所定のデータパケットのヘッダには、上記使用電子透かし方式を示す使用方式情報を挿入し、上記方式情報取得手段を、上記情報埋め込みデジタルデータにおける所定のデータパケットのヘッダから、上記使用電子透かし方式を示す使用方式情報を取得する構成としたものである。
【００３６】
この発明（請求項１１）は、請求項１記載のデータ処理装置において、上記情報埋め込みデジタルデータに補助データ部分を付加し、該補助データ部分には、上記使用電子透かし方式を示す使用方式情報を挿入し、上記方式情報取得手段を、上記情報埋め込みデジタルデータに付随する補助データ部分から、上記使用電子透かし方式を示す使用方式情報を取得する構成としたものである。
【００３７】
この発明（請求項１２）は、請求項１記載のデータ処理装置において、上記データ取得手段を、複数のデータ記録媒体及び複数のデータ通信経路の少なくとも１つから上記情報埋め込みデジタルデータを取得可能な構成とし、上記方式情報取得手段を、上記情報埋め込みデジタルデータを上記複数のデータ記録媒体及び複数のデータ通信経路のいずれから取得したかに応じて、上記使用電子透かし方式を判定して、この判定結果に対応する使用方式情報を取得する構成としたものである。
【００３８】
この発明（請求項１３）は、請求項１記載のデータ処理装置において、上記情報埋め込みデジタルデータを、音声デジタルデータ，映像デジタルデータ，または音声デジタルデータ及び映像デジタルデータを多重化して得られる多重デジタルデータとしたものである。
【００３９】
この発明（請求項１４）は、請求項１記載のデータ処理装置において、上記データ取得手段を、放送局からの放送電波を受信するアンテナと、該アンテナからの受信出力を復調して上記情報埋め込みデジタルデータを出力する受信波デコーダとを有する構成としたものである。
【００４０】
この発明（請求項１５）は、請求項１記載のデータ処理装置において、上記データ取得手段を、大容量記憶装置から、これに格納されている上記情報埋め込みデジタルデータを読み出すデータ読み出し装置を有する構成としたものである。
【００４１】
この発明（請求項１６）は、請求項１５記載のデータ処理装置において、上記データ読み出し装置を、ＤＶＤ−ＲＯＭ，ＤＶＤ−ＲＡＭ，または半導体記録メディアから、上記情報埋め込みデジタルデータを読み出すアクセス装置を有する構成としたものである。
【００４２】
この発明（請求項１７）は、請求項１記載のデータ処理装置において、上記情報埋め込みデジタルデータを、上記供給デジタルデータに、複数の電子透かし方式により複数の関連情報を埋め込んで得られたものとし、上記情報埋め込みデジタルデータには、上記使用電子透かし方式を示す使用方式情報として、上記複数の電子透かし方式に対応する使用方式情報を含め、上記情報抽出手段を、上記複数の電子透かし方式に対応する使用方式情報に基づいて、上記入力デジタルデータから、上記複数の電子透かし方式の各々に対応する関連情報を抽出可能な構成としたものである。
【００４３】
この発明（請求項１８）は、請求項１記載のデータ処理装置において、上記情報埋め込みデジタルデータを、上記供給デジタルデータに、複数の電子透かし方式により複数の関連情報を埋め込んで得られたものとし、上記情報埋め込み手段を、上記入力デジタルデータに、上記複数の関連情報のうちの所定のものを上記既定の電子透かし方式により埋め込んで出力デジタルデータを生成する構成としたものである。
【００４４】
この発明（請求項１９）は、請求項１記載のデータ処理装置において、上記情報埋め込みデジタルデータを、上記供給デジタルデータに、複数の電子透かし方式により複数の関連情報を埋め込んで得られたものとし、上記情報埋め込み手段を、上記入力デジタルデータに、上記複数の関連情報のうちの所定数の関連情報を、上記複数の電子透かし方式のうちの対応する電子透かし方式，あるいは上記複数の電子透かし方式のいずれとも異なる対応する電子透かし方式により埋め込んで出力デジタルデータを生成する構成としたものである。
【００４５】
この発明（請求項２０）は、請求項６記載のデータ処理装置において、上記情報埋め込みデジタルデータを、上記供給デジタルデータに、複数の電子透かし方式により複数の関連情報を埋め込んで得られたものとし、上記情報埋め込み手段を、上記加工デジタルデータに、上記複数の関連情報のうちの所定のものを上記既定の電子透かし方式により埋め込んで出力デジタルデータを生成する構成としたものである。
【００４６】
この発明（請求項２１）は、請求項６記載のデータ処理装置において、上記情報埋め込みデジタルデータを、上記供給デジタルデータに、複数の電子透かし方式により複数の関連情報を埋め込んで得られたものとし、上記情報埋め込み手段を、上記加工デジタルデータに、上記複数の関連情報のうちの所定数の関連情報を、上記複数の電子透かし方式のうちの対応する電子透かし方式，あるいは上記複数の電子透かし方式のいずれとも異なる対応する電子透かし方式により埋め込んで出力デジタルデータを生成する構成としたものである。
【００４７】
この発明（請求項２２）に係るデータ記録媒体は、配布元から利用者への供給の対象となる供給デジタルデータにその関連情報を埋め込んで得られる情報埋め込みデジタルデータを記録したデータ記録媒体であって、該情報埋め込みデジタルデータを、固定長の第１のデータ部分と可変長の第２のデータ部分とから構成され、該第１のデータ部分には、上記供給デジタルデータに対する関連情報の埋め込み処理に用いられた使用電子透かし方式を示す使用方式情報が埋め込まれ、上記第２のデータ部分には、該使用方式情報により示される使用電子透かし方式により、上記関連情報が埋め込まれ、上記使用方式情報に基づいて適切な電子透かし方式を用いて、上記第２のデータ部分から上記関連情報を抽出あるいは除去する処理が可能なデータ構造としたものである。
【００４８】
この発明（請求項２３）は、請求項２２記載のデータ記録媒体において、上記情報埋め込みデジタルデータの第１のデータ部分には、既定の電子透かし方式により、上記使用方式情報を埋め込んでいるものである。
【００４９】
この発明（請求項２４）は、請求項２２記載のデータ記録媒体において、上記情報埋め込みデジタルデータの第１のデータ部分には、上記使用方式情報として、上記供給デジタルデータへの関連情報の埋め込み処理に用いられた、異なる使用電子透かし方式を示す複数の使用方式情報が含まれているものである。
【００５０】
この発明（請求項２５）に係るデータ記録媒体は、デジタルデータとして、配布元から利用者への供給の対象となる供給デジタルデータにその関連情報を埋め込んで得られる情報埋め込みデジタルデータと、該情報埋め込みデジタルデータに付随する、上記供給デジタルデータへの関連情報の埋め込み処理に用いられた使用電子透かし方式を示す使用方式情報とを記録したデータ記録媒体であって、上記情報埋め込みデジタルデータを、上記使用方式情報に基づいて適切な電子透かし方式を用いて上記関連情報を抽出あるいは除去する処理が可能なデータ構造としたものである。
【００５１】
この発明（請求項２６）は、請求項２５記載のデータ記録媒体において、上記使用方式情報として、上記供給デジタルデータへの関連情報の埋め込み処理に用いられた、異なる電子透かし方式を示す複数の使用方式情報が記録されているものである。
【００５２】
【発明の実施の形態】
本件発明者は、近年の電子透かし技術，並びにデジタルデータの電子配信システムについてさらなる検討を行った結果、新たな課題として、電子配信システムに電子透かし方式を採用した場合、現状の電子透かし方式として種々の方式があることが大きな問題となることを見出した。
つまり、音楽データの電子配信による供給は、音楽データのデータ記録媒体による配布とは異なり、非常に手軽に行うことができ、その配布元の数は非常に多くなると考えられるため、個々の音楽データの配信元の間で、電子透かし方式を統一することは実現不可能である。また、電子配信システムでは音楽データの取得が極めて簡単で、違法なコピーが行われる可能性も高いため、電子透かし方式を単一の方式に統一することは、電子透かし方式が解読された場合音楽データの不正利用を取り締まることができなくなるという観点からは望ましくない。
【００５３】
以下このような電子配信システムにおける課題及びその対応策について具体的に説明する。
図２３は、電子配信システムにおけるデジタル音楽データの流れを示している。
この図に示すように、ネットワークＮには受信記録装置２００が接続され、またこのネットワークＮ上には、各種の電子透かし方式により情報が埋め込まれた情報埋め込みデジタルデータが存在している。ここでは、電子透かし方式として、３つの方式（Ａ方式，Ｂ方式，Ｃ方式）を挙げており、上記受信記録装置２００には、上記各方式により情報が埋め込まれたデジタル音声データＤａ，Ｄｂ，Ｄｃが供給されるようになっている。また、上記受信記録装置２００は、受信したデジタルデータＤｏ１をデータ記録媒体Ｒｄに記録する構成となっている。さらにこのシステムでは、このデータ記録媒体Ｒｄが装着された再生装置３００にて、該データ記録媒体Ｒｄに記録されたデジタルデータＤｏ２が再生されるようになっている。なお、上記受信記録装置２００としては、パーソナルコンピュータが使用されることを想定しており、上記再生装置３００としては家電機器である半導体プレイヤーやＤＶＤプレイヤーなどを想定している。
このような構成の電子配信システムでは、まず、上記デジタル音声データＤａ，Ｄｂ，Ｄｃは、上記受信記録装置２００にて受信され、受信されたデジタル音声データは出力デジタルデータＤｏ１としてデータ記録媒体Ｒｄに出力される。すると、このデータ記録媒体Ｒｄでは該出力デジタルデータＤｏ１の記録が行われる。
【００５４】
次に、データ記録媒体Ｒｄが装着された再生装置３００にて、該データ記録媒体Ｒｄから読み出された読み出しデジタルデータＤｏ２の再生が行われる。
ところで、上記再生装置３００は家電機器であり、一度販売が開始されてしまえば、その後に仕様を変更することは困難なものであり、上記再生装置３００にて採用されている電子透かし方式を変更することは困難である。
従って、このような音楽データの電子配信システムでは、再生装置３００へは既定の電子透かし方式に対応したデジタル音楽データを供給する必要があるにも拘わらず、各デジタル音楽データの配信元の間では電子透かし方式を単一の方式に統一することは不可能であるという課題が生ずることとなる。
【００５５】
このような課題解決のため、本件発明者らは、まず、上記受信記録装置としてのパーソナルコンピュータはソフトウェアを変更することによって、種々の電子透かし方式により処理されたデジタルデータに対応することが可能なものである点に着目した。
ただし、単にソフトウエアを変更するだけでは、上記受信記録装置２００において、受信したデジタルデータにどのような電子透かし方式で情報が埋め込まれたかを特定することができず、受信したデジタルデータに応じた埋め込み情報の抽出処理を行うことができない。つまり、デジタルデータから埋め込み情報を抽出したり除去したりする処理における演算プロセスは、デジタルデータに情報を埋め込む処理における演算プロセスとは逆の演算プロセスとなり、情報の埋め込み処理と情報の抽出処理では同一の電子透かし方式が用いられる。このため、情報埋め込み処理にて使用された電子透かし方式が特定できなければ、上記埋め込み情報の抽出処理あるいは除去処理を行うことができない。
【００５６】
そこで、本件発明者らは、さらに検討を重ねた結果、このような電子配信システムでは、パーソナルコンピュータにより構成される受信記録装置に、受信したデジタルデータに対応する、情報の埋め込み処理に使用された電子透かし方式を特定する機能を搭載することにより、種々の電子透かし方式により情報が埋め込まれたデジタルデータを、上記家電機器である再生装置にて採用されている機器固有の電子透かし方式（例えば汎用的な既定の電子透かし方式）に対応したものに変換可能なことを見出した。
【００５７】
例えば、上述したような３つの方式、つまりＡ方式，Ｂ方式，Ｃ方式で記録されたデジタルデータＤａ，Ｄｂ，Ｄｃを、機器固有の電子透かし方式に対応したデジタルデータＤｘに変換することができる。
具体的には、受信したデジタルデータから、このデジタルデータに対応する、情報埋め込み処理に用いた電子透かし方式と同じ電子透かし方式によって埋め込み情報を抽出するとともに、該受信したデジタルデータに、各電子透かし方式に対応した埋め込み情報を、機器固有の電子透かし方式によって埋め込む。これによって、受信されたデジタルデータがどのような電子透かし方式により情報埋め込み処理が施されたものであっても、家電機器である再生装置では、上記受信したデジタルデータに対応する電子透かし方式に拘わらず、その再生処理を適切に行うことが可能となる。
【００５８】
以下、本発明の各実施の形態について説明する。
実施の形態１．
図１は本発明の実施の形態１によるデータ処理装置を説明するためのブロック図である。
この実施の形態１のデータ処理装置１１０は、ネットワークＮ上のネットワーク信号Ｓｎから異なる電子透かし方式に対応した種々の情報埋込みデジタルデータＤauを取得し、該各情報埋め込みデジタルデータを、これが既定の電子透かし方式に対応したものとなるよう処理し、該既定の電子透かし方式に対応したデジタルデータをデータ記録媒体に記録する構成となっている。
【００５９】
なお、ここでは説明の都合上、データ処理装置１１０は、上記種々の情報埋込みデジタルデータＤauとして、図２３に示すように３つの電子透かし方式（方式Ａ，方式Ｂ，方式Ｃ）の各々に対応するデジタルデータＤａ，Ｄｂ，Ｄｃを受けるものとする。また、デジタルデータＤａは、配布元から利用者への供給の対象となる供給音声データに方式Ａによりこれに関連する関連情報（埋め込み情報）を電子透かしとして埋め込んで得られる配布音声データ、デジタルデータＤｂは、他の供給音声データに方式Ｂによりその関連情報を埋め込んで得られる配布音声データ、デジタルデータＤｃは、その他の供給音声データに、方式Ｃによりその関連情報を埋め込んで得られる配布音声データである。また、上記既定の電子透かし方式は、半導体プレーヤやＤＶＤプレーヤなどの家電機器としての再生装置に採用されている汎用の電子透かし方式としている。
【００６０】
すなわち、この実施の形態１のデータ処理装置１１０は、ネットワークＮ上のネットワーク信号Ｓｎから、上記デジタルデータＤａ，Ｄｂ，Ｄｃのいずれかである上記情報埋め込みデジタルデータＤauを入力デジタルデータとして取得する取得部（データ取得手段）１１１を有している。ここで、この取得部１１１は、ネットワークＮとの間で送信信号の授受を行うネットワークインタフェース１１１ａと、ネットワークＮ上から該インタフェース１１１ａを介して受信したネットワーク信号Ｓｎを復号化処理によりデジタルデータに変換する受信信号デコーダ１１１ｂとから構成されている。この受信信号デコーダ１１１ｂは、具体的には、ネットワーク信号Ｓｎを復号化して上記情報埋め込みデジタルデータＤauを入力デジタルデータ（配布音声データ）として出力する構成となっている。
【００６１】
また、上記データ処理装置１１０は、上記供給音声データに対する関連情報の埋め込み処理に用いられた使用電子透かし方式を示す使用方式情報を、上記入力デジタルデータから取得する機能（方式情報取得手段）を含む制御部１１５と、該取得された使用方式情報に基づいて、上記使用電子透かし方式により上記入力デジタルデータから埋め込み情報（関連情報）を抽出する抽出部１１２とを有している。
ここで、上記制御部１１５は、種々の演算処理やデータ処理の制御を行うＣＰＵと、該ＣＰＵの動作プログラムを格納した、実行メモリとしても動作するＲＡＭとから構成されている。従って、この制御部１１５では、上記方式情報取得手段は上記ＣＰＵに搭載されている。また、上記抽出部１１２はカスタムＬＳＩにより構成されている。そして、この抽出部１１２は、デジタルデータＤａから電子透かし方式Ａにより埋め込み情報を抽出する方式Ａ抽出部１１２ａと、デジタルデータＤｂから電子透かし方式Ｂにより埋め込み情報を抽出する方式Ｂ抽出部１１２ｂと、デジタルデータＤｃから電子透かし方式Ｃにより埋め込み情報を抽出する方式Ｃ抽出部１１２ｃとを有している。
【００６２】
上記データ処理装置１１０は、上記入力デジタルデータ（配布音声データ）に、上記抽出された埋め込み情報を上記既定の電子透かし方式により埋め込んで出力デジタルデータを生成する挿入部（情報埋め込み手段）１１３と、該出力デジタルデータを記憶する記憶部１１４とを有している。
ここで、上記挿入部１１３はカスタムＬＳＩにより構成されており、また上記記録部１１４には、ＤＶＤ−ＲＡＭディスクに対して上記出力デジタルデータの書き込み及び読み出しを行うＤＶＤ−ＲＡＭドライブが搭載されている。
【００６３】
そして、上記データ処理装置１１０では、上記取得部１１１，抽出部１１２，埋め込み部１１３，記録部１１４，及び制御部１１５は、データバスＤbusにより相互に接続されており、該取得部１１１，抽出部１１２，埋め込み部１１３，及び記録部１１４の動作が制御部１１５により制御されるようになっている。つまり、上記制御部１１５は、上記入力デジタルデータから使用電子透かし方式情報を取得する方式情報取得動作の他に、取得部１１１によるネットワーク信号Ｓｎからの情報埋め込みデジタルデータＤａｕの取得処理、抽出部１１２による埋め込み情報の抽出処理、埋め込み部１１３による情報の埋め込み処理、記録部１１４における出力デジタルデータの書き込み動作を制御する構成となっている。
【００６４】
なお、この実施の形態１のデータ処理装置１１０では、デジタルデータの取得部１１１の構成として、ネットワークＮ上から通信回線を介してネットワーク信号Ｓｎを受け、これを復号化して情報埋め込みデジタルデータＤａｕを取得する、ネットワークインタフェース１１１ａ及び受信信号デコーダ１１１ｂからなる構成を示したが、デジタルデータの取得部の構成はこれに限るものではない。
例えば、上記デジタルデータの取得部１１１は、放送電波を受信するアンテナ、及びアンテナからの受信出力を復調する受信波デコーダとからなり、該受信波デコーダの出力を情報埋め込みデジタルデータＤａｕとして取得する構成としてもよい。
【００６５】
また、上記デジタルデータの取得部は、電話回線あるいは同軸ケーブルに接続されたモデム装置からなり、電話回線あるいは同軸ケーブルからのアナログ伝送信号をモデム装置により上記情報埋め込みデジタルデータに変換し、この情報埋め込みデジタルデータを入力デジタルデータとして取得するものであってもよい。
さらに、上記デジタルデータの取得部は、ＤＶＤ−ＲＯＭ，ＤＶＤ−ＲＡＭ，ＣＤ−ＲＯＭ等のディスク記録媒体や半導体メディアといった、マルチメディアデータを扱うことができる大容量データ記憶媒体から上記情報埋め込みデジタルデータＤａｕを読み出す大容量記憶装置であってもよい。
【００６６】
また、上記実施の形態１では、データ処理装置の抽出部１１２及び埋め込み部１１３をそれぞれ別体のカスタムＬＳＩにより構成しているが、これらの抽出部１１２及び埋め込み部１１３を１つのカスタムＬＳＩにより構成してもよい。上記抽出部１１２及び埋め込み部１１３では、多くの共通した処理が行われるため、これらを１つのカスタムＬＳＩで構成することは、部品点数の削減という観点からは望ましい。
さらに、上記実施の形態１では、データ処理装置の抽出部１１２及び挿入部１１３をカスタムＬＳＩにより構成しているが、これらの部分は、演算処理を行うＣＰＵと、その演算プログラムを格納する、実行メモリとしてのＲＡＭから構成してもよい。特にこの場合には、抽出部１１２及び挿入部１１３と、制御部１１５との間で、ＣＰＵやメモリなどの構成機器を共有することが可能となり、効果的な部品点数の削減を図ることができる。
また、上記実施の形態１では、データ処理装置の記録部をＤＶＤ−ＲＡＭドライブにより構成しているが、この記録部は、ＣＤ−Ｒドライブや半導体メディア書き込み装置など、マルチメディアデータの取り扱いが可能な大容量書き込み可能記憶装置であればよい。
【００６７】
（デジタルデータのデータ構造）
次に、ネットワークＮ上のネットワーク信号Ｓｎから取得される情報埋め込みデジタルデータＤau、及び挿入部１１３から出力される出力デジタルデータのデータ構造について説明する。
これらのデジタルデータは同一のデータ構造を有しており、図２は、該情報埋め込みデジタルデータＤauのデータ構造を示している。
この情報埋め込みデジタルデータＤauは、第１のデータ部分Ｄau１と第２のデータ部分Ｄau２とから構成されている。この情報埋め込みデジタルデータＤauのサイズは可変長であるが、第１のデータ部分Ｄau１のサイズが固定長となっている。このため、この情報埋め込みデジタルデータＤauを取得したデータ処理装置では、第１のデータ部分Ｄau１と第２のデータ部分Ｄau２とを識別することができる。
【００６８】
ここで、上記第１のデータ部分Ｄau１におけるデジタルデータには、所定の電子透かし方式、つまり上記電子透かし方式Ａ，Ｂ，Ｃのうちの汎用的な方式によって、使用電子透かし方式を示す使用方式情報が挿入されている。これに対して、第２のデータ部分におけるデジタルデータには、上記使用方式情報が示す電子透かし方式によって、著作権情報などの関連情報（埋め込み情報）が電子透かしとして埋め込まれている。
【００６９】
また、図２では上記挿入部１１３から出力される出力デジタルデータについて示していないが、この実施の形態１では、この出力デジタルデータのデータ構造も、上記情報埋め込みデジタルデータＤauのデータ構造と同一となっている。つまり、出力デジタルデータは、固定長の第１のデータ部分と可変長の第２のデータ部分とからなり、第１のデータ部分のデジタルデータには上記使用電子透かし方式を示す使用方式情報が挿入され、第２のデータ部分のデジタルデータには使用電子透かし方式により関連情報（埋め込み情報）が埋め込まれている。
【００７０】
なお、この実施の形態１では、情報埋め込みデジタルデータ及び出力デジタルデータにおける第１のデータ部分のサイズを固定長としたが、これらのデジタルデータに、その属性を示す属性情報が付加されている場合には、該第１のデータ部分のサイズを可変長とすることもできる。だだし、この場合には、該属性情報中に第１のデータ部分のサイズを示すサイズ情報を挿入しておく必要がある。
また、情報埋め込みデジタルデータ及び出力デジタルデータが、第１のデータ部分の終了地点を示す情報を含んでいる場合にも、該第１のデータ部分のサイズを可変長とすることが可能である。
【００７１】
また、上記実施の形態１では、情報埋め込みデジタルデータ及び出力デジタルデータでは、固定長の第１のデータ部分の直後に可変長の第２のデータ部分が位置するようデータ部分を配列しているが、情報埋め込みデジタルデータ及び出力デジタルデータでは、可変長の第２のデータ部分の直後に固定長の第１のデータ部分が位置するようデータ部分を配列してもよい。さらに、上記情報埋め込みデジタルデータ及び出力デジタルデータでは、固定長のデータ部分である第１のデータ部分と可変長のデータ部分である第２のデータ部分とが複数個所に分散して混在していてもよい。
【００７２】
（使用方式情報のデータ構造）
次に、上記使用電子透かし方式を示す使用方式情報Ｉumのデータ構造について説明する。
この使用方式情報は、情報埋め込みデジタルデータＤauの第１のデータ部分に汎用の電子透かし方式（例えば電子透かし方式Ａ）によって埋め込まれている。ここで、使用方式情報は２ビットのデータである。上記データ処理装置１１０における制御部１１５では、このデータの値に基づいて、供給音声データに対する関連情報の埋め込み処理の際に使用された電子透かし方式を示す使用方式情報が取得される。
【００７３】
図３は、使用方式情報としての２ビットデータにおける、第１及び第２ビットの値を示している。
ここで、使用方式情報の値「００」は、入力デジタルデータは、電子透かし方式による埋め込み情報を有していないことを意味している。また、使用方式情報の値「０１」，「１０」，「１１」はそれぞれ、入力デジタルデータが電子透かし方式Ａ，Ｂ，方式Ｃにより埋め込まれた関連情報（埋め込み情報）を有していることを意味する。
次に動作について説明する。
【００７４】
（デジタルデータの取得）
まず、このデータ処理装置１１０では、取得部１１１によりネットワークＮ上のネットワーク信号Ｓｎから所要のデジタルデータを取得する処理が行われる。ここでは、所要のデジタルデータは、デジタル音声データであって、配布元から利用者への供給の対象となる供給音声データに、所定の電子透かし方式（例えば電子透かし方式Ａ）により、著作権情報などの関連情報が電子透かしとして埋め込まれている情報埋め込みデジタルデータ（配布音声データ）Ｄauとする。
具体的には、ネットワークＮ上からネットワークケーブルを介して送信されてきた、上記所要のデジタルデータに対応するネットワーク信号（送信信号）Ｓｎが、取得部１１１のネットワークインタフェース１１１ａによって受信される。受信されたネットワーク信号Ｓｎは受信信号デコーダにて復号化処理により上記所要のデジタルデータＤauに変換される。こうして取得した所要のデジタルデータＤauはデータバスＤbusを経由して、抽出部１１２，挿入部１１３，及び制御部１１５へ送られる。
【００７５】
なお、ここではこのデータ処理装置１１０では、取得したすべてのデジタルデータに対してデータ変換処理が行われるようになっているが、受信したデジタルデータのうちの、装置の使用者により選択されたデジタル音声データに対してのみ、データ変換処理が行われるようにしてもよい。
また、ここでは本データ処理装置にて受信されるデジタルデータが、情報埋め込みデジタルデータＤauのみである場合について説明しているが、本データ処理装置にて、受信されたデジタルデータが、データ変換処理の対象となるデジタルデータであることが判別可能であれば、本データ処理装置は、情報埋め込みデジタルデータＤau以外の他の種類のデジタルデータも受信する構成としてもよい。
【００７６】
（使用方式情報の取得）
そして取得部１１１にて取得された情報埋め込みデジタルデータＤauは、データバスＤbusを経由して抽出部１１２及び制御部１１５へ送られる。該制御部１１５では、情報埋め込みデジタルデータＤauが固定長の第１のデータ部分Ｄau１と可変長の第２のデータ部分Ｄau２から構成されているため、情報埋め込みデジタルデータＤauにおける第１のデータ部分が識別され、該制御部１１５からの制御信号に基づいて、抽出部１１２が該第１のデータ部分から使用方式情報を取得する処理が行われる。
すなわち、抽出部１１２では、制御部１１５からの制御信号に基づいて、情報埋め込みデジタルデータＤauの第１のデータ部分Ｄau１から、所定の電子透かし方式によって挿入されている使用方式情報が抽出される。ここでは、該第１のデータ部分のデジタルデータには使用方式情報として、値「０１」を有する２ビットのデータが含まれているため、抽出部１１２では、該第１のデータ部分から、使用電子透かし方式Ａを示す使用方式情報が取得される。そして取得された使用方式情報は、制御部１１５の実行メモリに保持される。
【００７７】
なお、ここでは所定の電子透かし方式は、汎用の電子透かし方式Ａとしているが、制御部１１５の構成によっては、使用方式情報の埋め込み処理には、方式Ａ，方式Ｂ，方式Ｃのいずれでが用いられていてもよく、また、これら以外の任意の電子透かし方式が用いられていてもよい。
また、ここでは第１のデータ部分には、使用方式情報のみが含まれているとしたが、その他の情報が含まれていてもよい。
【００７８】
（埋め込み情報の抽出）
取得部１１１からデータバスＤbusを経由して抽出部１１２に送られてきた情報埋め込みデジタルデータＤauの第２のデータ部分Ｄau２には、上記取得された使用方式情報が示す電子透かし方式Ａによって関連情報が埋め込まれている。
抽出部１１２では、制御部１１５の実行メモリに格納されている使用方式情報に基づいて、情報埋め込みデジタルデータＤauから関連情報（埋め込み情報）が抽出される。そして、抽出された埋め込み情報は、上記制御部１１５の実行メモリに一旦記録される。
【００７９】
（埋め込み情報の再埋め込み）
上記挿入部１１３では、上記取得部１１１からの情報埋め込みデジタルデータＤauに対して、制御部１１５の実行メモリに保持されている埋め込み情報を既定の電子透かし方式によって再度埋め込む処理が行われて、出力デジタルデータが作成される。このとき、情報埋め込みデジタルデータＤauの第２のデータ部分Ｄau２には、情報埋め込みデジタルデータＤauの第２のデータ部分に埋め込まれていた埋め込み情報が、既定の電子透かし方式によって再度埋め込まれる。また、この埋め込み情報の再埋め込み処理の際には、情報埋め込みデジタルデータＤauの第１のデータ部分Ｄau１には、既定の電子透かし方式によって埋め込み情報を埋め込んだことが判るよう、使用した電子透かし方式を示す使用方式情報が挿入される。この場合使用した電子透かし方式は、既定の電子透かし方式である。そして、作成された上記出力デジタルデータはデータバスDbusを経由して記録部１１４に供給される。
【００８０】
（出力デジタルデータの記録）
上記挿入部１１３からデータバスＤbusを経由して出力デジタルデータが記録部１１４に供給されると、該出力デジタルデータは、記録部１１４にてＤＶＤ−ＲＡＭディスクに格納される。このとき、ＤＶＤ−ＲＡＭディスクにはファイルシステムが構築されているため、取得された出力デジタルデータは任意のファイル名でＤＶＤ−ＲＡＭディスクに記録される。
なお、ここでデジタル音声データはＤＶＤ−ＲＡＭディスクのファイルシステムを利用して任意のファイル名で記録されるとしたが、これに限るものではない。
【００８１】
例えば、デジタル音声データは単純にＤＶＤ−ＲＡＭディスクの記録領域の先頭から記録されるようにしてもよい。また、デジタル音声データのＤＶＤ−ＲＡＭディスクへの記録の時点では該ディスクの空き領域が適宜探索され、この空き領域にデジタル音声データが書き込まれるようにしてもよい。さらに、装置の利用者によってＤＶＤ−ＲＡＭディスクの書き込み先領域が指定され、指定された書き込み先領域に、デジタル音声データが書きこまれるようにしてもよい。
また、上記実施の形態１では、デジタル音声データがＤＶＤ−ＲＡＭディスクに記録される際のファイル名は任意のものとしたが、ユーザによりファイル名を指定するようにしてもよく、また、デジタルデータに付随または包含される属性情報に記述されたファイル名を使用するようにしてもよい。
【００８２】
このように本実施の形態１のデータ処理装置１１０では、著作権情報などの関連情報が電子透かしとして埋め込まれた情報埋め込みデジタルデータＤauをネットワークＮ上のネットワーク信号Ｓｎから取得する取得部１１１と、著作権情報などの埋め込みの際に使用された電子透かし方式を示す使用方式情報を取得する制御部１１５とを備え、取得した使用方式情報に応じて、適切な電子透かし方式によって情報埋め込みデジタルデータＤauから著作権情報などの埋め込み情報を抽出し、該情報埋め込みデジタルデータＤauに既定の電子透かし方式により、著作権情報などの埋め込み情報を再度埋め込んで出力デジタルデータを作成して記録媒体に記録するので、受信された情報埋め込みデジタルデータＤauがどのような電子透かし方式により関連情報の埋め込み処理が施されたものであっても、家電機器である再生装置では、上記記録媒体に記録された情報埋め込みデジタルデータＤauの再生処理を著作権情報などの埋め込み情報に応じて適切に行うことが可能となる。
【００８３】
つまり、電子透かし方式により関連情報の埋め込み処理が施された情報埋め込みデジタルデータに、使用電子透かし方式情報を埋め込むことによって、この情報埋め込みデジタルデータを取得したデータ処理装置では、如何なる電子透かし方式により関連情報が埋め込まれているかを判別することが可能となる。これにより、データ処理装置では、埋め込み情報の抽出の際に他の方式を使用して誤った情報を抽出してしまったり、埋め込み情報の除去の際に他の方式を使用して埋め込み情報以外の部分を誤って改変してしまたりすることなく、埋め込み情報の抽出や除去を行うことが可能となる。
この結果、利用者への音声データなどのデジタルデータの配布を行う配布元では、所要の電子透かし方式を使用して、供給対象となる供給デジタルデータに関連情報を電子透かしとして埋めこむことが可能となる。言い換えると、デジタルデータの配布元では、特にこのデジタルデータがその利用者側で記録媒体に記録されるものである場合には、このデジタルデータの内容に応じて、情報の埋め込みに伴う劣化の最も少ない方式を選択することができる。また、このデジタルデータの送信時の通信速度などに応じて最適の方式を選択することが可能となる。
【００８４】
また、ネットワークＮ上から取得した情報埋め込みデジタルデータを、書き込み可能な記録媒体に記録する場合には、該記録媒体に書き込まれるデジタルデータに対する情報埋め込み処理に使用される電子透かし方式を、供給デジタルデータに対するその配布元での情報埋め込み処理に使用されている使用電子透かし方式とは異なるものとすることが可能である。これによって、デジタルデータが再生される装置に応じた電子透かし方式によってデジタルデータに埋め込み情報を挿入することが可能である。
【００８５】
実施の形態２．
図４は本発明の実施の形態２によるデータ処理装置を説明するためのブロック図である。
この実施の形態２のデータ処理装置１２０は、ネットワークＮ上のネットワーク信号Ｓｎから、情報埋め込みデジタル音声データ（配布音声データ）Ｄauを入力音声データとして取得するとともに、該配布音声データＤauの属性を示す音声データ属性情報（以下単に属性情報ともいう。）を取得し、該属性情報に含まれる制御情報に基づいて、該入力音声データに対する情報の埋め込み、及び入力音声データの再生を行う構成となっている。
【００８６】
ここで、上記情報埋め込みデジタル音声データＤauは、その配布元にて、配布元から利用者への供給の対象となるデジタル音声データ（供給音声データ）に種々の電子透かし方式により情報を埋め込んで得られたものである。また、音声データ属性情報は、情報埋め込みデジタル音声データＤauの送信の際、この音声データＤauに付随して上記配布元から送信されるものである。この音声データ属性情報の送信形態としては、送信される音声データＤauにおける予め決めされた位置（固定位置）に配列して送信する形態、送信される音声データＤauに多重化して送信する形態、送信される音声データＤauとは別ファイルのデータとして送信する形態などがある。
【００８７】
以下、この実施の形態２のデータ処理装置１２０を含む、音声データの電子配信システムについて詳述する。
この電子配信システムでは、上記情報埋め込みデジタル音声データＤauは、これに対応する音声データ属性情報とともに、ネットワークＮを介してその配布給元からネットワーク信号Ｓｎにより電子配信される。
【００８８】
ここで、上記音声データ属性情報は、少なくとも使用電子透かし方式情報（使用方式情報）を含むデータ構造となっている。この使用方式情報は、上記配布元にて供給音声データにその関連情報を埋め込む際に使用された電子透かし方式（使用電子透かし方式）を示す情報である。なお、音声データ属性情報は、上記使用方式情報だけでなく、その他の情報を含むものであってもよいことは言うまでもない。
【００８９】
また、電子透かし方式の実装方法によっては、情報埋め込みの対象となる１つの対象音声データに、複数の電子透かし方式によってそれぞれに対応する情報を埋め込んだとしても、複数の埋め込み情報が相互間で影響を及ぼし合わない場合がある。例えば、１つの電子透かし方式では、対象音声データの高周波領域に情報を埋め込み、他の電子透かし方式では、対象音声データの低周波領域に情報を埋め込むといった場合である。
【００９０】
（使用電子透かし方式情報のデータ構造）
この実施の形態２では、このような場合に対応するため、使用電子透かし方式情報を、複数の電子透かし方式の各々に対して、各方式が供給音声データへの情報埋め込み処理に使用されたか否かを示す方式使用状況情報を設定可能なデータ構造としている。
図５は、上記使用電子透かし方式情報Ｉumのデータ構造を示す図である。
この使用電子透かし方式情報Ｉumは、上記配布元における情報の埋め込み処理の際に使用される可能性のある複数の電子透かし方式（ここではｎ個の電子透かし方式）の各々に対応する複数の方式使用状況情報Ｉum(1)，Ｉum(2)，… ，Ｉum(n)から構成されている。
【００９１】
具体的には、方式(1) 使用状況情報Ｉum(1) は、電子透かし方式（１）が上記供給音声データに対する情報埋め込み処理に使用されたか否かを示すものである。そしてこの情報Ｉum(1) の値「１」は、電子透かし方式（１）が配布元における情報埋め込み処理に使用されたことを示し、一方、この情報Ｉum(1) の値「０」は、電子透かし方式（１）が配布元における情報埋め込み処理に使用されていないことを示している。また、方式(2) 使用状況情報Ｉum(2) ，…，方式(n) 使用状況情報Ｉum(n) も、上記方式(1) 使用状況情報Ｉum(1) と同様、電子透かし方式（２），…，（ｎ）が上記供給音声データに対する情報埋め込み処理に使用されたか否かを示すものである。そして該情報Ｉum(2),・・・, Ｉum (n)の値「１」は、対応する電子透かし方式（２），・・・，（ｎ）が配布元における情報埋め込み処理に使用されたことを示し、一方、上記情報Ｉum(2),・・・, Ｉum (n)の値「０」は、対応する電子透かし方式（２），・・・，（ｎ）が配布元における情報埋め込み処理に使用されていないことを示している。
【００９２】
（埋め込み情報のデータ構造）
また、情報埋め込みデジタル音声データにおける埋め込み情報は、少なくとも再生許可情報を含むデータ構造となっている。
この再生許可情報には、入力デジタル音声データとして取得した情報埋め込みデジタル音声データＤauの再生を許可するか否かを示す情報である。この再生許可情報の値「１」は、音声データの再生を許可することを示し、逆に、再生許可情報の値「０」は音声データの再生を許可しないことを示す。
【００９３】
（データ処理装置の構成）
この実施の形態２のデータ処理装置１２０は、ネットワークＮ上のネットワーク信号Ｓｎから、上記情報埋め込みデジタル音声データ（配布音声データ）Ｄauを入力デジタル音声データとして取得するとともに、配布音声データＤauに付随して送信される音声データ属性情報を取得する取得部（データ取得手段）１２１と、制御信号に基づいて、情報埋め込みデジタルデータＤauから埋め込み情報を抽出する抽出部１２２とを有している。
【００９４】
ここで、上記取得部１２１は、ネットワークＮとの間でネットワーク信号Ｓｎの授受を行うネットワークインタフェース１２１ａと、該インタフェース１２１ａからのネットワーク信号Ｓｎに復号化処理を施して、情報埋め込みデジタル音声データＤau及び音声データ属性情報を生成する受信信号デコーダ１２１ｂとから構成されている。また、上記抽出部１２２は、上記電子透かし方式（１），（２），・・・，（ｎ）に対応する方式(1) 抽出器１２１ａ1 ，方式(2) 抽出器１２１ａ2 ，・・・，方式(n) 抽出器１２１ａn を有しており、制御信号に基づいて、所要の抽出器により、情報埋め込みデジタル音声データＤauにおける埋め込み情報を抽出するよう構成されている。
【００９５】
例えば、上記方式(1)抽出器１２１ａ1 は、情報埋め込みデジタル音声データＤauから、電子透かし方式（１）により埋め込み情報を抽出する構成となっている。上記方式(2) 抽出器１２１ａ2 は、情報埋め込みデジタル音声データＤauから、電子透かし方式（２）により埋め込み情報を抽出する構成となっている。上記方式(n) 抽出器１２１ａn は、情報埋め込みデジタル音声データＤauから、電子透かし方式（ｎ）により埋め込み情報を抽出する構成となっている。
【００９６】
また、この実施の形態２のデータ処理装置１２０は、上記抽出部１２２により抽出された埋め込み情報を、家電機器としての再生装置にて採用されている既定の電子透かし方式により、上記情報埋め込みデジタルデータＤauに再度埋め込んで出力デジタルデータを生成する挿入部１２４と、該出力デジタルデータを記録する記録部１２５とを有している。
【００９７】
さらに、この実施の形態２のデータ処理装置１２０は、上記取得部１２１にて取得した情報埋め込みデジタル音声データＤauを、制御信号に基づいて再生する再生部１２３と、上記各部１２１〜１２５を、対応する制御信号により制御する制御部１２６とを有している。ここで、この再生部１２３は、情報埋め込みデジタルデータＤauを音声信号に変換する音声デコーダ１２３ａと、該音声信号を音声に変換するスピーカ１２３ｂとから構成されている。また、上記制御部１２６は、種々の演算処理やデータ処理を行うＣＰＵと、該ＣＰＵの動作プログラムを格納したＲＡＭ（ランダムアクセスメモリ）とから構成されており、上記各部１２１〜１２５の動作を制御する構成となっている。なお、上記ＲＡＭは、上記各部から出力される音声データや音声データ属性情報を一時的に記憶する実行メモリの役割も兼ねている。
【００９８】
上記制御部１２６は、具体的には、上記取得部１２１にて取得された音声データ属性情報に含まれる使用電子透かし方式情報に基づいて各方式使用状況情報の値を判定し、この判定結果に応じて各電子透かし方式に対応する方式抽出器における埋め込み情報の抽出処理を制御するとともに、抽出された埋め込み情報に含まれている再生許可情報に基づいて、再生部１２３における音声データＤauの再生処理を制御する構成となっている。具体的には、ここでは、使用電子透かし方式情報を構成する全ての方式使用状況情報に含まれる再生許可情報の値が「１」であれば、制御部１２６は再生部１２３における音声データＤauの再生を許可し、該再生部１２３を、音声データＤauの再生が行われるよう制御するようにしている。
【００９９】
また、このデータ処理装置１２０では、上記各部は相互にデータバスＤbus により相互に接続されており、上記抽出部１２２及び再生部１２３以外の、上記取得部１２１，挿入部１２４，及び記録部１２５も、上記制御部１２６により制御されるようになっている。
【０１００】
なお、上記抽出部１２２及び挿入部１２４はそれぞれカスタムＬＳＩにより実現されている。また、上記記録部１２５は、ＤＶＤ−ＲＡＭドライブにより実現されており、上記出力デジタル音声データをＤＶＤ−ＲＡＭディスクに記録するようになっている。
次に動作について説明する。
【０１０１】
（音声データＤau及びその属性情報Ｄprの取得）
ネットワークＮ上からネットワークケーブルを介して供給されるネットワーク信号Ｓｎが、取得部１２１のネットワークインタフェース１２１ａに受信されると、受信されたネットワーク信号Ｓｎが受信信号デコーダ１２１ｂに出力される。受信信号デコーダ１２１ｂでは、ネットワーク信号Ｓｎの復号化処理により情報埋め込みデジタル音声データＤauと、該音声データＤauに付随して送信される音声データ属性情報Ｄprが生成される。
このようにして取得部１２１にて取得した音声データＤauはデータバスＤbus を介して抽出部１２２及び挿入部１２４へ送られ、また、音声データ属性情報ＤprはデータバスＤbus を介して制御部１２６へ送られる。制御部１２６では、供給された音声データ属性情報は、実行メモリとしてのＲＡＭに一時的に保持される。
【０１０２】
（埋め込み情報の抽出）
上記制御部１２６では、上記音声データ属性情報Ｄprに含まれている使用電子透かし方式情報に基づいて制御信号により抽出部１２２を制御する動作が行われる。つまり、使用電子透かし方式情報を構成する各方式使用状況情報の値に応じて、対応する方式抽出器に制御信号が供給される。
具体的には、まず制御部１２６では、使用電子透かし方式情報における方式（１）使用状況情報の値が参照される。この方式(1) 使用状況情報の値が「１」であれば、上記抽出部１２２の方式（１）抽出器１２２a1に対して、電子透かし方式（１）により入力音声データＤauにおける埋め込み情報の抽出を指令する制御信号が出力される。これにより、方式（１）抽出器１２２a1では、上記抽出部１２２に送られた音声データＤauにおける、電子透かし方式（１）により埋め込まれた情報が、電子透かし方式（１）により抽出される。このようにして抽出された埋め込み情報は、データバスＤbus を介して、一旦制御部１２６の実行メモリに記録される。一方、方式(1) 使用状況情報の値が「０」であれば、上記抽出部１２２の方式（１）抽出器１２２a1に対しては、入力音声データＤauにおける埋め込み情報の抽出を指令する制御信号は出力されない。
【０１０３】
次に、上記制御部１２６では、使用電子透かし方式情報における方式（２）使用状況情報の値が参照される。この方式(2) 使用状況情報の値が「１」であれば、上記抽出部１２２の方式（２）抽出器１２２a2に対して、電子透かし方式（２）により入力音声データＤauにおける埋め込み情報の抽出を指令する制御信号が出力される。これにより、方式（２）抽出器１２２a2では、上記抽出部１２２に送られた音声データＤauにおける、電子透かし方式（２）により埋め込まれた情報が、電子透かし方式（２）により抽出される。このようにして抽出された埋め込み情報は、データバスＤbus を介して、一旦制御部１２６の実行メモリに記録される。一方、方式(2) 使用状況情報の値が「０」であれば、上記抽出部１２２の方式（２）抽出器１２２a2に対しては、入力音声データＤauにおける埋め込み情報の抽出を指令する制御信号は出力されない。
このようにして、上記制御部１２６では、方式使用状況情報の値に応じて、対応する方式抽出器に制御信号が供給する処理が、配布元にて使用される可能性のある全ての方式使用状況情報（方式（１）使用状況情報〜方式（ｎ）使用状況情報）毎に順次行われ、これに応じて、各方式抽出器では、制御部１２６からの制御信号に基づいて入力音声データＤauにおける埋め込み情報の抽出処理が行われる。これにより複数の埋め込み情報が得られる。
【０１０４】
（音声データＤauの再生）
そして、制御部１２６では、上記埋め込み情報の抽出処理により得られた全ての埋め込み情報に含まれる再生許可情報の値が判定され、この判定結果に応じて、上記入力デジタル音声データＤauを再生するか否かを示す制御信号が再生部１２３に出力される。
つまり、使用電子透かし方式情報を構成する全ての方式使用状況情報に含まれる再生許可情報の値が「１」であれば、制御部１２６により再生部１２３での音声データＤauの再生が許可される。すると、制御部１２６の制御により、音声データＤauが取得部１２１からデータバスＤbus を介して再生部１２３に送られる。該再生部１２３では、受け取った音声データＤauが音声デコーダ１２３ａでの復号化処理により音声信号に変換され、スピーカーからはこの音声信号に対応する音声が再生出力される。
【０１０５】
（埋め込み情報の再埋め込み）
また、このデータ処理装置１２０では、上記取得部１２１にて取得された音声データＤauの再生処理とは独立して、該音声データＤauから抽出された埋め込み情報を既定の電子透かし方式により再度該音声データＤauに埋め込む処理が行われる。ここで、既定の電子透かし方式は、家電機器としての再生装置に採用されている電子透かし方式である。
すなわち、上記制御部１２６では、上述したように、上記使用電子透かし方式情報における各方式使用状況情報の値に基づいて、配布元での対象音声データに対する情報の埋め込み処理に使用された電子透かし方式の判定が行われており、この判定結果に基づいて、各電子透かし方式により埋め込まれた埋め込み情報が、上記挿入部１２４に供給される。そして、この挿入部１２４には、上記取得部１２１から供給されている音声データＤauに対して、制御部１２６から供給された埋め込み情報が、上記既定の電子透かし方式により再度埋め込まれて、出力デジタル音声データが生成される。
【０１０６】
（出力デジタル音声データの記録）
上記挿入部１２４にて生成された出力デジタル音声データは、記録部１２５に供給され、制御部１２６からの制御信号に基づいて記録媒体に記録される。ここでは、記録部１２５はＤＶＤ−ＲＡＭドライブにより実現されており、上記出力デジタル音声データは、ＤＶＤ−ＲＡＭディスクに格納される。
なお、上記実施の形態２では、使用電子透かし方式情報を構成する全ての方式使用状況情報に含まれる再生許可情報の値が「１」であれば、制御部が再生部１２３での音声データＤauの再生を許可する構成としているが、制御部が再生部１２３での音声データＤauの再生を許可する条件はこれに限るものではない。
例えば、使用電子透かし方式情報を構成する全ての方式使用状況情報に含まれる少なくとも１つの再生許可情報の値が「１」であれば、再生を許可するようにしてもよい。
また、使用電子透かし方式情報を構成する各方式使用状況情報毎に重み付け係数を設定し、この重み付け係数と、各方式使用状況情報に含まれる再生許可情報の値との積を、全ての方式使用状況情報について足し合わせた総和が、一定の閾値を越えているか否かによって、音声データＤauの再生の許可するようにしてもよい。
【０１０７】
このように本実施の形態２では、ネットワークＮ上のネットワーク信号Ｓｎを受信して、情報埋め込みデジタル音声データＤau及び音声データ属性情報Ｄprを取得する取得部１２１と、音声データ属性情報Ｄprに含まれている使用電子透かし方式情報における各方式使用状況情報に基づいて、種々の電子透かし方式により音声データＤauに埋め込まれている埋め込み情報を抽出し、各埋め込み情報に基づいて、音声データＤauの再生制御を行うようにしたので、音声データＤauを受信したデータ処理装置では、配布元にて種々の電子透かし方式により音声データＤauに埋め込まれた埋め込み情報に基づいて、音声データＤauの再生制御を正しく行うことができる。
【０１０８】
また、上記各埋め込み情報を既定の電子透かし方式により音声データＤauに再度埋め込んで、記録媒体に記録するようにしたので、音声データＤauの供給元にて種々の電子透かし方式を用いて情報の埋め込みが行われていても、音声データＤauにおける種々の電子透かし方式に対応する埋め込み情報を、既定の電子透かし方式に対応する埋め込み情報に変換することができる。これにより、実施の形態１と同様に、既定の電子透かし方式を採用している家電機器である再生装置においても、種々の電子透かし方式により埋め込まれている埋め込み情報に応じて、ネットワーク上から供給された情報埋め込みデジタル音声データＤauの再生処理を良好に行うことができる。
【０１０９】
なお、実施の形態２では、取得した情報埋め込みデジタル音声データ（配布音声データ）Ｄauを再生部１２３にて再生するようにしているが、この配布音声データＤauに埋め込み情報を再挿入して得られるデータを再生部１２３にて再生するようにしてもよい。
また、実施の形態２では、上記情報埋め込みデジタルデータを、上記供給デジタルデータに、複数の電子透かし方式により複数の関連情報を埋め込んで得られたものとし、上記挿入部を、上記入力デジタルデータに、上記複数の関連情報のうちの所定数の関連情報を、上記複数の電子透かし方式のうちの対応する電子透かし方式，あるいは上記複数の電子透かし方式のいずれとも異なる対応する電子透かし方式により埋め込んで出力デジタルデータを生成する構成としてもよい。
【０１１０】
実施の形態３．
図６は本発明の実施の形態３によるデータ処理装置を説明するためのブロック図である。
この実施の形態３のデータ処理装置１３０は、配布元から利用者への供給の対象となるデジタル音声データ（供給音声データ）に種々の電子透かし方式により情報を埋め込んで得られる情報埋め込み音声データ（配布音声データ）ＤauをネットワークＮ上のネットワーク信号Ｓｎまたは各種のデータ記録媒体から取得し、取得した配布音声データＤauが既定の電子透かし方式により情報が埋め込まれたものであるか否かを判定し、この判定結果に応じて、取得した配布音声データＤauに対して、その埋め込み情報の再挿入を行う構成となっている。
ここで、既定の電子透かし方式は、家電機器としての再生装置などで使用されている汎用の方式である。また、このデータ処理装置１３０では、取得した音声データＤauの埋め込み情報が既定の電子透かし方式により埋め込まれたものであるときは、この音声データＤauがそのままデータ記録媒体に記録される。一方、取得した音声データＤauの埋め込み情報が既定の電子透かし方式以外の電子透かし方式により埋め込まれたものであるときは、この音声データＤauからこれに対応する電子透かし方式により埋め込み情報が抽出され、この埋め込み情報を既定の電子透かし方式により上記音声データＤauに再度埋め込んで得られる再埋め込み音声データが記録媒体に記録される。
【０１１１】
以下、この実施の形態３のデータ処理装置１３０を含む、音声データの供給システムについて詳述する。
この供給システムでは、配布音声データは、ネットワークＮからの電子配信により供給される場合と、データ記録媒体の配布により供給される場合がある。
【０１１２】
（音声データのデータ構造）
この実施の形態３では、供給される配布音声データは、特に電子透かし方式に関する情報を含まないデータ構造となっている。このため、データ処理装置１３０は、供給される音声データに対する情報の埋め込み処理の際に用いられた電子透かし方式を、音声データの入手経路に基づいて判定するよう構成されている。つまり、上記音声データ等のデジタルデータはその供給形態によって電子透かし方式が予め決定されており、その入手経路を特定することにより、このデータに対する情報埋め込み処理に用いられた電子透かし方式が特定することが可能である。
例えば、音声データがネットワーク経由で供給される場合には、通信の際に使用するプロトコルに応じた電子透かし方式が用いられる。また、音声データが記録媒体により供給される場合にはその記録媒体の種別に応じた電子透かし方式が用いられる。このため、この実施の形態３の音声データの供給システムでは、実施の形態１の、電子配信する情報埋め込みデジタル音声データに対応する電子透かし方式を示す情報（使用電子透かし方式情報）を含める方法や、実施の形態２の、電子配信するデジタル音声データに添付する音声データ属性情報に上記使用電子透かし方式情報を含める方法は不要である。
【０１１３】
（データ処理装置の構成）
この実施の形態３のデータ処理装置１３０は、ネットワークＮ上のネットワーク信号Ｓｎから、上記情報埋め込みデジタル音声データを配布音声データとして取得するとともに、データ記録媒体から上記情報埋め込みデジタル音声データを配布音声データとして取得する取得部（データ取得手段）１３１と、制御信号に基づいて、該配布音声データから埋め込み情報を抽出する抽出部１３２とを有している。
ここで、上記取得部１３１は、ネットワークＮとの間でネットワーク信号Ｓｎの授受を行うネットワークインタフェース１３１ａと、該インタフェース１３１ａからのネットワーク信号Ｓｎに復号化処理を施して、上記情報埋め込みデジタル音声データ（配布音声データ）を生成する受信信号デコーダ１３１ｂと、ＤＶＤ−ＲＯＭディスクから情報埋め込みデジタル音声データを読みだすＤＶＤ−ＲＯＭドライブ１３１ｃと、半導体記録メディアから情報埋め込みデジタル音声データを読みだす半導体メモリアクセス装置１３１ｄとを有している。
また、上記抽出部１３２は、上記電子透かし方式（Ａ），（Ｂ），（Ｃ）に対応する方式(A) 抽出器１３２ａ，方式(B) 抽出器１３２ｂ，方式(C) 抽出器１３２ｃを有しており、制御信号に基づいて、所要の抽出器により、情報埋め込みデジタル音声データにおける埋め込み情報を抽出するよう構成されている。
【０１１４】
例えば、上記方式(A) 抽出器１３２ａは、情報埋め込みデジタル音声データから、電子透かし方式（Ａ）により埋め込み情報を抽出する構成となっている。上記方式(B) 抽出器１３２ｂは、情報埋め込みデジタル音声データから、電子透かし方式（Ｂ）により埋め込み情報を抽出する構成となっている。さらに方式(c) 抽出器１３２ｃは、情報埋め込みデジタル音声データから、電子透かし方式（Ｃ）により埋め込み情報を抽出する構成となっている。
【０１１５】
また、この実施の形態３のデータ処理装置１３０は、上記抽出部１３２により抽出された埋め込み情報を、家電機器としての再生装置にて採用されている既定の電子透かし方式により、上記情報埋め込みデジタル音声データに再度埋め込んで出力音声データを生成する挿入部１３３と、該出力音声データを記録する記録部１３４とを有している。ここで、挿入部１３３は、抽出された埋め込み情報を、電子透かし方式（Ａ）により、上記情報埋め込みデジタル音声データに埋め込む方式Ａ挿入器１３３ａを有している。
さらに、この実施の形態３のデータ処理装置１３０は、上記各部１３１〜１３４を、対応する制御信号により制御する制御部１３５を有している。また、このデータ処理装置１３０では、上記各部１３１〜１３５はデータバスＤbus により相互に接続されている。
【０１１６】
なお、上記抽出部１３２及び挿入部１３３はそれぞれカスタムＬＳＩにより実現されている。また、上記記録部１３４は、ＤＶＤ−ＲＡＭドライブを搭載しており、上記出力デジタル音声データをＤＶＤ−ＲＡＭディスクに記録するようになっている。
ここで、上記制御部１３５は、種々の演算処理やデータ処理を行うＣＰＵと、該ＣＰＵの動作プログラムを格納したＲＡＭ（ランダムアクセスメモリ）とから構成されており、上記各部１３１〜１３４の動作を制御する構成となっている。なお、上記ＲＡＭは、上記各部から出力される音声データや使用電子透かし方式情報を一時的に記憶する実行メモリの役割も兼ねている。
【０１１７】
また、上記制御部１３５は、具体的には、上記音声データの入手経路と電子透かし方式とを関連付けるテーブル１３５ａを有している。このテーブル１３５ａは、上記制御部１３５における不揮発メモリ内に格納されている。また、この制御部１３５は、上記音声データの入手経路を示す情報（入手経路情報）に基づいて、取得した音声データに対する情報埋め込み処理の際に使用された電子透かし方式を示す情報（使用電子透かし方式情報）を決定する方式情報決定手段と、該使用電子透かし方式情報に応じて、取得した音声データに対する埋め込み情報の再挿入を行うか否かを判定する再挿入判定手段とを有している。
【０１１８】
ここで、ネットワークＮ上のネットワーク信号Ｓｎから得られるデジタル音声データに対する電子透かし方式は、音声データの取得の際に接続したネットワークＮの接続先の情報（ＵＲＬ：Uniform Resource Locator）、音声データの取得の際に使用した通信プロトコル等によって決まっている。また、データ記録媒体に格納されているデジタル音声データに対する電子透かし方式は、該記録媒体の種別によって決まっている。従って、上記音声データの入手経路が分かれば、上記制御部１３５では、上記テーブル１３５ａを参照して、該音声データに対応する電子透かし方式として１つの方式を判別することができる。なお、この実施の形態３では、上記取得部１３１にて上記音声データの入手経路が判定され、この判定結果に応じて，上記音声データの入手経路を示す情報が上記取得部１３１から制御部１３５に供給されるようになっている。
【０１１９】
さらにこの実施の形態３では、ネットワークＮ上のネットワーク信号Ｓｎから取得される音声データには電子透かし方式Ｂが対応しており、ＤＶＤ−ＲＯＭから取得される音声データには電子透かし方式Ａが対応しており、半導体記録メディアから取得される音声データには電子透かし方式Ｃが対応しているとする。また、家電機器としての再生装置等に採用されている既定の電子透かし方式は、電子透かし方式Ａとする。
【０１２０】
なお、この実施の形態３では、データ記録媒体として、ＤＶＤ−ＲＯＭディスク及び半導体メモリを示したが、その他に、ＤＶＤ−ＲＡＭディスクやＣＤ−ＲＯＭディスクなどがデジタルデータの格納媒体として考えられる。これらの各記録メディアに対しても予め特定の電子透かし方式が用いられるため、これらの各記録メディアに格納されているデジタルデータについても、その取得先では、その入手経路に基づいて、対応する電子透かし方式を判別することができる。
次に動作について説明する。
【０１２１】
（デジタル音声データの取得）
この実施の形態３のデータ処理装置１３０では、デジタル音声データは、ネットワークＮ上のネットワーク信号Ｓｎあるいは記録媒体から取得される。例えば、ネットワークＮ上のネットワーク信号Ｓｎは、ネットワークケーブルを介して取得部１３１のネットワークインタフェース１３１ａに受信され、受信信号デコーダ１３１ｂでは、受信されたネットワーク信号Ｓｎの復号化処理により情報埋め込みデジタル音声データ（配布音声データ）Ｄauが生成される。また、ＤＶＤ−ＲＯＭディスクに記録されているデジタル音声データは、取得部１３１のＤＶＤ−ＲＯＭドライブ１３１ｃにより読みだされる。さらに、半導体メモリに記録されているデジタル音声データは、取得部１３１の半導体メモリアクセス装置１３１ｄにより読み出される。
上記取得部１３１により取得された配布音声データは、抽出部１３２及び挿入部１３３に供給され、さらにこのデジタル音声データは、その入手経路を示す経路情報とともに制御部１３５に供給され、その実行メモリに格納される。
【０１２２】
（使用電子透かし方式情報の取得）
すると、制御部１３５では、上記経路情報に基づいて、テーブル１３５ａに記述されている、データ入手経路と電子透かし方式との対応関係を参照して、上記取得部１３５から供給されたデジタル音声データがいずれの電子透かし方式により情報埋め込み処理が施されたものであるかが判定される。この判定結果は、制御部１３５の実行メモリ内に一時的に格納される。
【０１２３】
（埋め込み情報の抽出）
上記抽出部１３２では、制御部１３５からの制御信号に応じた電子透かし方式により、取得部１３１にて取得されたデジタル音声データから埋め込み情報が抽出される。
例えば、制御部１３５にて、取得されたデジタル音声データが電子透かし方式Ａに対応するものと判定された場合には、抽出部１３２は、このデジタル音声データに対する抽出処理が電子透かし方式Ａにより行われるよう制御される。具体的には、制御部１３５からの制御信号により、方式Ａ抽出部１３２により埋め込み情報の抽出が行われることとなる。
また、制御部１３５にて、取得されたデジタル音声データが電子透かし方式Ｂに対応するものと判定された場合には、抽出部１３２では、方式Ｂ抽出部１３２ｂにより埋め込み情報の抽出が行われ、制御部１３５にて、取得されたデジタル音声データが電子透かし方式Ｃに対応するものと判定された場合には、抽出部１３２では、方式Ｃ抽出部１３２ｃにより埋め込み情報の抽出が行われる。
【０１２４】
（埋め込み情報の再挿入の判定）
また、取得部１３１にて取得されたデジタル音声データが電子透かし方式Ａに対応するものである場合は、制御部１３５では、このデジタル音声データには、これに含まれている埋め込み情報を再度、他の電子透かし方式により埋め込む必要はないと判定される。これは、上記デジタル音声データの埋め込み情報は、既定の電子透かし方式（方式Ａ）を採用した再生装置、例えばＤＶＤ−ＲＡＭディスクを再生する既存の再生装置により、抽出可能であるためである。
一方、取得部１３１にて取得されたデジタル音声データが電子透かし方式Ｂに対応するものである場合は、制御部１３５では、このデジタル音声データに対して、電子透かし方式Ａによって埋め込み情報を再度埋め込む必要があると判定される。
【０１２５】
（埋め込み情報の再埋め込み）
デジタル音声データが電子透かし方式Ａに対応しており、上記制御部１３５にて、デジタル音声データに対する再埋め込み処理が不要と判定された場合は、制御部１３５から挿入部１３３には制御信号は供給されず、制御部１３５の実行メモリに格納されている上記デジタル音声データが記録部１３４に供給される。
一方、デジタル音声データが電子透かし方式Ｂに対応しており、上記制御部１３５にて、デジタル音声データに対する再埋め込み処理が必要があると判定された場合は、挿入部１３３では、制御部１３５からの制御信号に基づいて、上記情報埋め込みデジタル音声データ（配布音声データ）に対して、電子透かし方式Ａによって該配布音声データにおける埋め込み情報を再度埋め込む処理が行われる。
【０１２６】
（デジタル音声データの記録）
上記制御部１３５にて電子透かし方式Ａに対応すると判定されたデジタル音声データは、挿入部１３３での再埋め込み処理が施されずにそのまま記録部１３４に記録される。一方、制御部１３５にて電子透かし方式Ａ以外の方式に対応すると判定されたデジタル音声データは、挿入部１３３にて電子透かし方式Ａにより再埋め込み処理が施された後、記録部１３４に格納される。
このように本実施の形態３では、実施の形態１のデータ処理装置１１０の構成に加えて、制御部１３５を、情報が電子透かし方式により埋め込まれたデジタル音声データを受け、該音声データの入手経路を示す情報に基づいて、このデジタル音声データがいずれの電子透かし方式に対応するものであるかを判定する手段を有する構成としたので、音声データの配布元からネットワークＮ上に送信する音声データにこれに対応する電子透かし方式情報を含める必要がなくなる。また、記録媒体に格納する音声データにもこれに対応する電子透かし方式情報を含める必要がなくなる。
また、配布音声データが、家電機器としての再生装置等で採用されている既定の電子透かし方式に対応するとき、この配布音声データをそのまま記録媒体に記録し、一方、配布音声データが、上記既定の電子透かし方式以外の方式に対応するとき、この配布音声データに対して既定の電子透かし方式により、該配布音声データにおける埋め込み情報を再度埋め込んで得られるデータを記録媒体に記録するようにしたので、再埋め込み処理が不要なデジタル音声データに対して、情報の書き込みが行われるのを回避することができ、音質劣化などの要因となるデジタル音声データに対する処理を必要最小限に抑えることができる。
【０１２７】
実施の形態４．
図７は本発明の実施の形態４によるデータ処理装置を説明するためのブロック図である。
この実施の形態４のデータ処理装置１４０は、デジタル映像データとデジタル音声データとを多重化してなる多重デジタルデータをデータ記録媒体から読み出し、上記デジタル音声データから電子透かし方式により埋め込み情報を抽出し、この埋め込み情報の画像表示を行うとともに、デジタル音声データに対して該埋め込み情報を再度埋め込む処理を行う構成となっている。ここで、上記多重デジタルデータに含まれるデジタル音声データは、配布元から利用者への供給の対象となる供給音声データにその関連情報を電子透かし方式により埋め込んで得られるデータ（配布音声データ）である。また、上記埋め込み情報の抽出は、適切な電子透かし方式により行われ、上記再埋め込み処理は、家電機器としての再生装置等に採用されている既定の電子透かし方式を用いて行われるようになっている。
なお、上記適切な電子透かし方式は、上記供給音声データに対する情報埋め込み処理に使用された使用電子透かし方式と同一のものである。また、上記多重デジタルデータは、１つの番組や映画などのプログラムに対応するものであり、ビデオオブジェクトと呼ばれている。
この実施の形態４の以下の説明では、上記デジタル映像データ，デジタル音声データをそれぞれ映像データ，音声データをいう。
【０１２８】
（ビデオオブジェクトのデータ構造）
図８はビデオオブジェクトのデータ構造を示している。
この実施の形態４では、上記ビデオオブジェクトは、ＭＰＥＧ（Moving Picture Experts Group）２方式における１つのプログラムストリームに対応するものであり、複数のビデオオブジェクトユニット（ＶＯＢＵ：Video Object Unit ）から構成されている。
また、上記多重デジタルデータにおける１つのＶＯＢＵに対応する部分では、時分割処理により映像データや音声データなどが多重化されている。この１つのＶＯＢＵに対応するデジタルデータは、１５フレーム（＝０．５秒）程度の再生時間に相当するデータ量となっている。ここでは、１つのＶＯＢＵにおけるデータを時分割する単位は、２０４８バイトとしており、この時分割の単位である２０４８バイトのデータを含む部分をパケットと呼ぶ。また、映像データからなるパケットを映像パケットと呼び、音声データからなるパケットを音声パケットと呼ぶ。
例えば、ここでは、上記ビデオオブジェクトＶobには、第１のＶＯＢＵ（＃１）Ｖob１〜第ｎのＶＯＢＵ（＃ｎ）Ｖobｎからなり、第１のＶＯＢＵ（＃１）Ｖob１は、第１の映像パケット（＃１）Ｐv1〜第ｋの映像パケット（＃ｋ）Ｐvkと、第１の音声パケット（＃１）Ｐa1〜第ｍの音声パケット（＃ｍ）Ｐamとから構成されている。
【０１２９】
図９は上記音声パケットのデータ構造を示している。
音声パケットＰａは、パケットヘッダＰahと音声データ部分Ｐadとから構成される。上記音声データ部分Ｐadには、音声データを構成する符号列である音声ストリームが格納されており、この音声ストリームには、適当な電子透かし方式によって情報が埋め込まれている。一方、上記パケットヘッダＰahには、上記音声データを再生する際に必要な各種の情報が格納されている。
つまり、パケットヘッダＰahには、パケット種別フラグＦpk，再生時間情報Ｉrt，サブストリームＩＤ情報Ｉss，使用電子透かし方式情報Ｉumが格納されている。
ここで、上記パケット種別フラグＦpkは、対応するパケットがどのような種類のパケットであるかを識別するための情報である。上記再生時間情報Ｉrtは、対応するパケットに格納されているデータが再生される時間を示す情報であり、この再生時間には、ビデオオブジェクト先頭のデータの再生時間を基準とする相対時間が用いられている。
【０１３０】
また、多重化デジタルデータであるビデオオブジェクトでは、複数種類の音声ストリームを多重化することが可能であるため、各音声ストリームを識別する情報が必要となる。そこで、パケットヘッダＰahには、ビデオオブジェクトに含まれる複数種類の音声ストリームのうちの各々を特定する情報として上記サブストリームＩＤ情報Ｉssが格納されている。例えば、この上記サブストリームＩＤ情報Ｉssは、各音声ストリームに設定されているシリアル番号を示している。
さらに、上記使用電子透かし方式情報Ｉumは、音声パケットＰａの音声データ部分Ｐadに格納されている音声ストリームに対して、どのような電子透かし方式により情報の埋め込み処理が施されているかを示している。
【０１３１】
図１０は、上記パケットヘッダＰahに使用電子透かし方式情報Ｉumとして格納される値を示している。
ここでは、使用電子透かし方式情報Ｉumは２ビットの値（第１ビットの値と第２ビットの値）により表されている。この方式情報Ｉumの値「００」は、上記音声データに対する情報埋め込み処理に電子透かし方式Ａが使用されていることを示している。これと同様に、上記方式情報Ｉumの値「０１」，「１０」，「１１」はそれぞれ、上記音声ストリームに対する情報埋め込み処理に電子透かし方式Ｂ，方式Ｃ，方式Ｄが使用されていることを示している。
なお、この実施の形態４では、ビデオオブジェクトのデータ構造として、該ビデオオブジェクトを構成する音声パケットに供給音声データに対する使用電子透かし方式情報が格納されているものを示したが、ビデオオブジェクトは、映像パケットや他の種類のパケットに上記使用電子透かし方式を格納したデータ構造としてよい。
【０１３２】
さらに、この実施の形態４では、供給音声データに対応する使用電子透かし方式情報が各音声パケットＰａのパケットヘッダＰahに格納する場合を示したが、使用電子透かし方式情報の格納場所は、これに限るものではない。
例えば、使用電子透かし方式情報は、ビデオオブジェクトを構成する全ての音声パケットではなく、一部の音声パケットにのみ格納するようにしてもよい。
【０１３３】
また、使用電子透かし方式情報は、ビデオオブジェクトとは別にＤＶＤ−ＲＯＭディスクの記録領域に格納してよい。また、使用電子透かし方式情報は、適当な方法により、音声データ部分に格納される音声ストリームに埋め込むようにしてもよい。
また、この実施の形態４では、音声パケットＰａとして、そのパケットヘッダＰahに、パケット種別フラグＦpk，再生時間情報Ｉrt，サブストリームＩＤ情報Ｉss，使用電子透かし方式情報Ｉuwが格納されているものを示したが、音声パケットＰａのパケットヘッダＰahには、上記情報Ｆpk，Ｉrt，Ｉss，Ｉuw以外の種々の情報を格納するようにしてもよい。
【０１３４】
（実施の形態４のデータ処理装置１４０の構成）
このデータ処理装置１４０は、ＤＶＤ−ＲＯＭディスクからビデオオブジェクトを読み出すＤＶＤ−ＲＯＭドライブを有し、制御信号に基づいて、ビデオオブジェクトを取得する取得部１４１と、カスタムＬＳＩにより構成され、制御信号に基づいて、上記取得したビデオオブジェクトから映像データと音声データを分離する分離部１４２とを有している。
また、データ処理装置１４０は、カスタムＬＳＩにより構成され、制御信号に基づいて、上記分離された音声データにおける音声パケットＰａのヘッダＰahに格納されている使用電子透かし方式情報Ｉumから埋め込み情報を抽出する抽出部１４３と、カスタムＬＳＩにより構成され、制御信号に基づいて、上記抽出された埋め込み情報を、既定の電子透かし方式により、上記分離された音声データに再度埋め込んで出力音声データを生成する挿入部１４６とを有している。
【０１３５】
上記抽出部１４３は、上記電子透かし方式（Ａ），（Ｂ），（Ｃ），（Ｄ）に対応する方式Ａ抽出器１４３ａ，方式Ｂ抽出器１４３ｂ，方式Ｃ抽出器１４３ｃ，方式Ｃ抽出器１４３ｄを有しており、制御信号に基づいて、所要の抽出器により、入力音声データにおける埋め込み情報を抽出するよう構成されている。
例えば、上記方式Ａ抽出器１４３ａは、入力音声データ（配布音声データ）から電子透かし方式Ａにより埋め込み情報を抽出する構成となっている。上記方式Ｂ抽出器１４３ｂは入力音声データから電子透かし方式Ｂにより埋め込み情報を抽出する構成となっている。さらに方式Ｃ抽出器１４３ｃは入力音声データから電子透かし方式Ｃにより埋め込み情報を抽出する構成となっている。さらに方式Ｄ抽出器１４３ｄは入力音声データから電子透かし方式Ｄにより埋め込み情報を抽出する構成となっている。
【０１３６】
また、データ処理装置１４０は、制御信号に基づいて、上記分離された映像データの画像表示、及び音声データから抽出された、著作権情報等の埋め込み情報の画像表示を行う映像再生部１４４と、上記出力音声データの再生を行う音声再生部１４５とを有している。ここで、上記映像再生部１４４は、上記映像データを復号化等の信号処理によりアナログ映像信号に変換するとともに、抽出部１４３からの著作権情報等の埋め込み情報をデコーダする映像デコーダ１４４ａと、該アナログ映像信号を入力として画像表示を行うとともに、デコーダされた埋め込み情報の画像表示を行うテレビジョン受像機１４４ｂとから構成されている。また、上記音声再生部１４５は、上記音声データを復号化して音声信号を出力する音声デコード１４５ａと、該音声信号を音声に変換して出力するスピーカ１４５ｂとから構成されている。
さらに、上記データ処理装置１４０は、制御信号に基づいて、挿入部１４６から出力される出力音声データを記録する記録部１４７と、種々の演算処理やデータ処理を行うＣＰＵと、該ＣＰＵの動作プログラムを格納したＲＡＭ（ランダムアクセスメモリ）とから構成されており、上記制御信号により、各部１４１〜１４７の動作を制御する制御部１４８を有している。ここで、この制御部１４８のＲＡＭは、分離部１４２からのデータ，抽出部１４３からの埋め込み情報，挿入部１４６からのデータを一時的に格納する実行メモリの機能を兼ねている。
【０１３７】
なお、上記実施の形態４では、音声再生部１４５では、取得された入力音声データ（配布音声データ）を再生するようにしているが、音声再生部１４５では、入力音声データに対して、その埋め込み情報を既定の電子透かし方式により再度埋め込んで得られる出力音声データを再生するようにしてもよい。
また、上記実施の形態４では、データ処理装置として、取得部１４１がＤＶＤ−ＲＯＭドライブを有するものを示したが、データ処理装置の取得部１４１は、ＤＶＤ−ＲＡＭドライブ，ＣＤ−ＲＯＭドライブ，半導体メモリ読込み装置など、マルチメディアデータを扱うことが可能な大容量記憶装置を有するものであればよい。
また、上記実施の形態４では、取得されたビデオオブジェクトを再生する装置として、映像データを再生する映像再生部１４４と音声データを再生する音声再生部１４５の両方を有するデータ処理装置を示したが、データ処理装置は、上記映像再生部と音声再生部の一方のみを有するものであっても、映像再生部と音声再生部の他に字幕などデータを再生する装置を有するものであってもよい。
さらに、上記実施の形態４では、データ処理装置として、分離部１４２，抽出部１４３，挿入部１４４がカスタムＬＳＩにより構成されているものを示したが、これらの部分１４２〜１４４は、各種演算処理を行うＣＰＵと、その動作プログラムを格納する、実行メモリを兼ねるＲＡＭから構成してもよい。この場合には、特に、これらの部分１４２〜１４４と制御部１４８の間で構成機器を共有することが可能である。
【０１３８】
次に動作について説明する。
以下の説明では、説明を簡単にするため、上記ＤＶＤ−ＲＯＭディスクには、そのデータ記録領域の先頭部分から連続的に上記ビデオオブジェクトが記録されているものとする。
【０１３９】
（ビデオオブジェクトの読み出し）
上記取得部１４１では、制御部１４８からの制御信号に基づいて、ＤＶＤ−ＲＯＭディスクの記録領域の先頭部分から順次パケット単位で、ビデオオブジェクトとしての多重デジタルデータが読み出され、該読み出されたデータはパケット単位で順次分離部１４２に送られる。
【０１４０】
（ビデオオブジェクトの分離）
上記分離部１４２では、各パケット（映像パケット及び音声パケット）のパケットヘッダに格納されているパケット種別フラグＦpkの読み込みが行われる。この分離部１４２では、パケット種別フラグＦpkに基づいて映像パケットと音声パケットとが識別され、ビデオオブジェクトからこれらのパケットが分離される。そして、制御部１４８の制御により、映像パケットであると判断されたパケットは映像再生部１４４及び制御部１４８へ、音声パケットであると判断されたパケットは、抽出部１４３，挿入部１４６，音声再生部１４５及び制御部１４８へ送られる。
【０１４１】
（埋め込み情報の抽出）
上記制御部１４８では、音声パケットＰａのパケットヘッダＰahに格納されている使用電子透かし方式情報Ｉumの読み込みが行われる。そして制御部１４８では、該使用電子透かし方式情報Ｉumの値の判定が行われ、該方式情報の値に応じた制御信号が抽出部１４３に出力される。すると、抽出部１４３では、上記制御信号に基づいて、適切な電子透かし方式に対応する方式抽出器により、音声パケットＰａの音声データ部分Ｐadに格納されている音声ストリームから埋め込み情報が抽出される。なお、この埋め込み情報には、著作権者のコピーライト表示文字列に対応する情報が含まれている。
例えば、上記使用電子透かし方式情報Ｉumの値の判定の結果、その値が「００」である場合には、抽出部１４３では、上記制御信号に基づいて方式Ａ抽出器１４３ａにより、電子透かし方式Ａにより埋め込み情報の抽出が行われる。これと同様に、使用電子透かし方式情報Ｉumの値が「０１」，「１０」，あるいは「１１」である場合には、抽出部１４３では、上記制御信号に基づいて、方式Ｂ抽出器１４３ｂ，方式Ｃ抽出器１４３ｃ，あるいは方式Ｄ抽出器１４３ｄにより、電子透かし方式Ｂ，Ｃ，あるいはＤにより埋め込み情報の抽出が行われる。
【０１４２】
（映像データの再生）
上記分離部１４２にて分離された映像パケットが映像再生部１４４に供給されると、映像再生部１４４では、制御部からの制御信号に基づいて、映像パケットに格納されている、ＭＰＥＧ２方式の符号化処理が施された映像データに対して、映像デコーダ１４４ａによりＭＰＥＧ２方式の復号化処理が施される。この映像デコーダ１４４ａでの復号化処理により得られた映像信号がＴＶ受像器１４４ｂに出力されると、該受像器１４４ｂでは該映像信号の再生表示が行われる。
【０１４３】
（著作権情報の表示）
また、抽出部１４３から映像再生部１４４に、埋め込み情報としてコピーライト表示文字列情報が供給されると、この情報は上記デコーダ１４４ａにより表示用信号に変換されてＴＶ受信器１４４ｂに出力される。すると、ＴＶ受像器１４４ｂでは、映像信号に対応する表示画像上にコピーライト表示文字列が重ね合わせて表示される。
なお、ここでは著作権情報であるコピーライト表示文字列情報は、映像信号の表示画像上にオーバーレイして表示するようにしているが、著作権情報はＴＶ受像器以外の表示手段によって表示するようにしてもよく、また著作権情報の画像表示は特に行わないようにしてもよい。
【０１４４】
（音声データの再生）
上記分離部１４２にてビデオオブジェクトＶobから分離された音声パケットＰａが音声再生部１４５に供給されると、該音声再生部１４５では、音声パケットＰａの音声データ部分Ｐadに格納されている音声ストリーム（つまりＬＰＣＭ方式の符号化処理が施された音声データ）に対して、音声デコーダ１４５ａによりＬＰＣＭ方式の復号化処理が施される。これにより音声デコーダ１４５ａでは音声信号が生成され、この音声信号はスピーカ１４５ｂにより音声に変換されて出力される。
また、このデータ処理装置１４０では、上記のような映像データ及び音声データの再生処理が行われる一方で、実施の形態１〜３のデータ処理装置と同様に、配布音声データに対して、その埋め込み情報の再埋め込み処理、及び該再埋め込み処理により得られる出力音声データの記録が行われる。
【０１４５】
（埋め込み情報の再挿入の判定）
【０１４６】
また、分離部１４２からの音声パケットＰａにおける音声データが電子透かし方式Ａに対応するものである場合は、制御部１４８では、このデジタル音声データには、これに含まれている埋め込み情報を再度、他の電子透かし方式により埋め込む必要はないと判定される。これは、上記音声データの埋め込み情報は、既定の電子透かし方式（方式Ａ）を採用した再生装置、例えばＤＶＤ−ＲＡＭディスクに対応する既存の再生装置により、抽出可能であるためである。
一方、分離部１４２からの音声パケットＰａにおける音声データが電子透かし方式Ｂに対応するものである場合は、制御部１４８では、この音声データに対して、電子透かし方式Ａによって埋め込み情報を再度埋め込む必要があると判定される。
【０１４７】
（埋め込み情報の再埋め込み）
【０１４８】
音声データが電子透かし方式Ａに対応しており、上記制御部１４８にて、デジタル音声データに対する再埋め込み処理が不要と判定された場合は、制御部１４８から挿入部１４６には制御信号は供給されず、制御部１４８の実行メモリに格納されている上記音声データが記録部１４７に供給される。
一方、音声データが電子透かし方式Ｂに対応しており、上記制御部１４８にて、音声データに対する再埋め込み処理が必要があると判定された場合は、挿入部１４６では、制御部１４８からの制御信号に基づいて、上記音声データに対して、電子透かし方式Ａによって埋め込み情報を再度埋め込む処理が行われる。
【０１４９】
（デジタル音声データの記録）
【０１５０】
上記制御部１４８にて電子透かし方式Ａに対応すると判定された音声データは、挿入部１４６での再埋め込み処理が施されずにそのまま記録部１４７に記録される。一方、制御部１４８にて電子透かし方式Ａ以外の方式に対応すると判定された音声データは、挿入部１４６にて電子透かし方式Ａにより再埋め込み処理が施された後、記録部１４７に格納される。
このように本実施の形態４のデータ処理装置１４０では、実施の形態１のデータ処理装置１１０における取得部１１１に代えて、ＤＶＤ−ＲＯＭドライブを搭載した取得部１４１を備えるとともに、ＤＶＤ−ＲＯＭディスクから読みだされたビデオオブジェクトから映像パケットと音声パケットを分離する分離部１４２と、映像データを再生する映像再生部１４４とを備え、音声パケットのヘッダに格納されている使用電子透かし方式情報に基づいて、音声パケットのデータ部分から抽出した埋め込み情報を映像再生部にて表示するようにしたので、著作権情報を映像により確認することができる。
また、デジタル音声データが、家電機器としての再生装置等で採用されている既定の電子透かし方式に対応するとき、このデジタル音声データをそのまま記録媒体に記録し、デジタル音声データが、上記既定の電子透かし方式以外の方式に対応するとき、このデジタル音声データに対して既定の電子透かし方式により埋め込み情報を再度埋め込んで得られるデータを記録媒体に記録するようにしたので、再埋め込み処理が不要な音声データに対して、情報の書き込み処理が再度行われるのを回避することができ、音質劣化などの要因となる音声データに対する処理を必要最小限に抑えることができる。
【０１５１】
なお、上記実施の形態４では、ＤＶＤ−ＲＯＭディスクとして、その記録領域の先頭部分からビデオオブジェクトが記録されているものについて示したが、ＤＶＤ−ＲＯＭディスクはその記録領域の先頭部分には、管理情報などの補助的な情報が記録されており、この管理情報の記録領域に続いてビデオオブジェクトが記録されているものでもよい。
また、上記実施の形態４では、ＤＶＤ−ＲＯＭディスクの記録領域には連続的にビデオオブジェクトが記録されている場合について示したが、ＤＶＤ−ＲＯＭディスクにおけるビデオオブジェクトの記録の形態はこれに限るものではない。例えば、上記管理情報に、ＤＶＤ−ＲＯＭディスクの記録領域におけるビデオオブジェクトの記録開始位置、及びその記録サイズを示すＴＯＣ（Table of Contents ）情報が含まれている場合は、ＤＶＤ−ＲＯＭディスクの記録領域内の任意の部分にビデオオブジェクトを分散して記録することが可能である。
【０１５２】
また、上記実施の形態４では、ビデオオブジェクトの読み出しは、ＤＶＤ−ＲＯＭディスクの記録領域の先頭部分から順次行う場合について説明したが、上記管理情報に、ディスク内の個々の記録領域に対するアクセス順序などからなるシナリオ情報が含まれている場合は、ディスク内の複数の記録領域に分散して格納されているビデオオブジェクトを、各記録領域に対して任意の順序でアクセスして読み出すことも可能である。特に、データ処理装置に、利用者の操作による信号を受け付ける機能が搭載されている場合には、ビデオオブジェクトの読み出しの際、利用者の操作による信号に基づいて、上記各記録領域に対するアクセス順序を適宜変更してすることも可能である。
また、この実施の形態４では、分離部にてビデオオブジェクトから分離された音声パケットが音声再生部に直接供給される場合について説明したが、音声パケットは、抽出部を経由して音声再生部へ送られるようにしてもよい。
【０１５３】
また、この実施の形態４では、音声データのみ埋め込み情報を含んでいる場合について説明したが、映像データも埋め込み情報を含んでいてもよい。この場合、映像データから埋め込み情報を抽出する映像用抽出部を備え、ビデオオブジェクトから分離された映像パケットは、この映像用抽出部を経由して映像再生部へ供給されるようにしてもよい。
さらに、この実施の形態４では、音声データにおける埋め込み情報は、著作権者のコピーライト表示文字列を示す情報を含むものとしているが、音声データにおける埋め込み情報は、上記コピーライト表示文字列を示す情報の他に、著作権者が再生を許可した個人の氏名、著作権者が再生を許可した日付などを示す情報を含むものであっしてもよい。特に、ビデオオブジェクトがコピーされ得る場合には、音声データにおける埋め込み情報は、コピー世代情報などを含むものであってもよい。
【０１５４】
実施の形態５．
図１１は本発明の実施の形態５によるデータ処理装置を説明するためのブロック図である。
この実施の形態５のデータ処理装置１５０は、配布元から利用者への供給の対象となるデジタル音声データ（供給音声データ）に電子透かし方式により情報を埋め込んで得られるデジタル音声データ（配布音声データ）を、該埋込処理に利用された電子透かし方式を示す情報とともに、入力音声データとしてデータ記録媒体から取得し、該入力音声データからその埋め込み情報を抽出する抽出処理，該入力音声データからその埋め込み情報を除去して得られるデータ（加工音声データ）を生成する除去処理，該加工音声データを再生する再生処理，及び該加工音声データに上記埋め込み情報を既定の電子透かし方式により再度埋め込む再埋込処理を行うものである。
【０１５５】
そして、この実施の形態５のデータ処理装置１５０は、複数の電子透かし方式に対応可能な構成となっている。これは、１つの音声データに対して複数の電子透かし方式が使用される場合があるためである。
つまり、電子透かし方式の実装方法によっては、１つの音声データに対して複数の電子透かし方式によってそれぞれ情報を埋め込んだとしても、埋め込まれた情報が互いに影響し合うことがない場合がある。例えは、ある電子透かし方式では、音声データの高周波成分に情報が埋め込まれ、別の電子透かし方式では、音声データの低周波成分に情報が埋め込まれるいった場合には、高周波成分に埋め込まれた情報と、低周波成分に埋め込まれた情報とは互いに影響を及ぼすことはない。本データ処理装置１５０はこのような場合に対応可能となっている。
ここでは、供給音声データに対する情報埋め込み処理に使用される電子透かし方式は、方式Ａ，方式Ｂ，方式Ｃ，方式Ｄの４つのうちのいずれかとしている。また、埋め込み情報の抽出は、適切な電子透かし方式により行われ、上記再埋込処理は、家電機器としての再生装置等に採用されている既定の電子透かし方式を用いて行われるようになっている。また、上記適切な電子透かし方式は、上記供給音声データに対する情報の埋込処理に使用された使用電子透かし方式と同一のものである。
【０１５６】
（配布音声データのデータ構造）
図１２は、上記データ記録媒体に記録された配布音声データのデータ構造を示している。
この配布音声データＤdeは、楽曲の内容を示すＴＯＣ（Table of Contents ）情報Ｉtoと、ＬＰＣＭ（Linear Pulse Code Modulation）方式により符号化された種々の個別音声データＤa1〜Ｄanとを含んでいる。
このＴＯＣ情報Ｉtoは、上記データ記録媒体の記録領域の先頭部分に記録されており、このＴＯＣ情報Ｉtoには、上記記録媒体に記録されている種々の音声データＤa1〜Ｄanを再生する際に使用される情報が含まれている。ここで、音声データの再生の際に使用される情報には、具体的には、音声データ記録開始位置情報Ｉsp，音声データ記録終了位置情報Ｉep，曲名情報Ｉna，量子化数情報Ｉqu，サンプリングレート情報Ｉsa，チャネル数情報Ｉch，使用電子透かし方式情報Ｉwmなどが含まれている。
【０１５７】
そして、上記データ記録媒体の記録領域におけるＴＯＣ情報Ｉto以降の部分には、ＬＰＣＭ方式で符号化された音声データＤa1〜Ｄanが順次記録されている。なお、ここでは音声データの符号化処理の方式としてＬＰＣＭ方式を挙げているが、音声データ符号化方式はこれに限らず、ＡＣ３方式，Ｍｐｅｇ  Ａｕｄｉｏ方式，ＤＴＳ（Digital Theater System）方式などのその他の符号化方式であってもよい。ここで、ＡＣ３方式は、主として５．１ｃｈ，２ｃｈ等の映画用音声を対象とした音声圧縮符号化方式で、ＤＶＤ−ＶＩＤＥＯなどで使用されている。ＤＴＳ方式も、主として５．１ｃｈ，２ｃｈ等の映画用音声を対象とした音声圧縮符号化方式で、映画館，ＤＶＤ−ＶＩＤＥＯなどで使用されている。
【０１５８】
図１３は、使用電子透かし方式情報Ｉumのデータ構造を示している。
この実施の形態５では、供給音声データに対する情報の埋め込み処理に使用される電子透かし方式は、上記４つの方式（方式Ａ，方式Ｂ，方式Ｃ，方式Ｄ）のいずれかであるため、使用電子透かし方式情報は、該各方式に対応する４つの使用状況情報Ｉus，つまり方式Ａ使用状況情報Ｉusａ，方式Ｂ使用状況情報Ｉusｂ，方式Ｃ使用状況情報Ｉusｃ，方式Ｄ使用状況情報Ｉusｄから構成されている。
そして、各使用状況情報には値「０」または値「１」が設定されている。
例えば、所定の使用状況情報の値が「１」に設定されているときは、この使用状況情報に対応する電子透かし方式が、供給音声データに対する情報の埋め込み処理に使用されていることを示す。一方、所定の使用状況情報の値が「０」に設定されているときは、この使用状況情報に対応する電子透かし方式が、供給音声データに対する情報の埋め込み処理に使用されていないことを示す。
なお、上記データ記録媒体には、ＴＯＣ情報及び音声データだけでなく、その他の情報が記録されていてもよい。また、ＴＯＣ情報は、音声データ再生情報だけでなく、音声データの再生順序を示す情報などその他の情報を含んでいてもよい。さらに、音声データ再生情報は、音声データ記録開始位置情報Ｉsp，音声データ記録終了位置情報Ｉep，曲名情報Ｉna，量子化数情報Ｉqu，サンプリングレート情報Ｉsa，チャネル数情報Ｉch，使用電子透かし方式情報Ｉumだけでなく、作曲者情報や著作権情報などその他の情報を含んでいてもよい。
【０１５９】
また、上記実施の形態５では、上記データ記録媒体には、音声データが、これを符号化した状態で記録されている場合を示しているが、音声データは、これをＭＰＥＧ２方式等の多重化方式によって他のデータと多重化した状態で、上記データ記録媒体に記録されていてもよい。
また、上記実施の形態５では、ＴＯＣ情報がデータ記録媒体の記録領域の先頭部分に記録されている場合を示しているが、データの読み出しを行う部分（取得部）が、データ記録媒体におけるＴＯＣ情報の記録場所を識別可能であれば、ＴＯＣ情報は、データ記録媒体の任意の記録領域に記録されていてもよい。
【０１６０】
（データ処理装置の構成）
この実施の形態５のデータ処理装置１５０は、ＤＶＤ−ＲＯＭディスクに記録されている情報あるいはデータを読みだすＤＶＤ−ＲＯＭドライブを有し、制御信号に基づいて、上記ＤＶＤ−ＲＯＭディスクから、上記ＴＯＣ情報Ｉto及び複数の音声データＤa1〜Ｄanを取得する取得部１５１と、取得部１５１にて取得されたＴＯＣ情報Ｉtoを格納するＴＯＣ情報保持領域１５２ａを有し、制御信号に基づいて上記ＴＯＣ情報Ｉtoの格納を行う保持部１５２とを有している。この保持部１５２にはＤＲＡＭ（Dynamic Random Access Memory）が搭載されている。
【０１６１】
また、データ処理装置１５０は、カスタムＬＳＩにより構成され、制御信号に応じて、上記取得されたＴＯＣ情報Ｉtoに含まれる使用電子透かし方式情報Ｉumに基づいて音声データにおける埋め込み情報を抽出する情報抽出処理を行う抽出部１５３と、カスタムＬＳＩにより構成され、制御信号に応じて、上記取得されたＴＯＣ情報Ｉtoに含まれる使用電子透かし方式情報Ｉumに基づいて配布音声データにおける埋め込み情報を除去して加工音声データを生成する情報除去処理を行う除去部１５４と、カスタムＬＳＩにより構成され、制御信号に基づいて、上記抽出された埋め込み情報を既定の電子透かし方式により上記加工音声データに再度埋め込んで出力音声データを生成する挿入部１５５とを有している。
【０１６２】
ここで、上記抽出部１５３は、上記電子透かし方式Ａ，Ｂ，Ｃ，Ｄに対応する方式Ａ抽出器１５３ａ，方式Ｂ抽出器１５３ｂ，方式Ｃ抽出器１５３ｃ，方式Ｃ抽出器１５３ｄを有しており、制御信号に基づいて、所要の抽出器により、配布音声データにおける埋め込み情報を抽出するよう構成されている。
例えば、上記方式Ａ抽出器１５３ａは、配布音声データ（入力音声データ）から電子透かし方式Ａにより埋め込み情報を抽出する構成となっている。上記方式Ｂ抽出器１５３ｂは入力音声データから電子透かし方式Ｂにより埋め込み情報を抽出する構成となっている。さらに方式Ｃ抽出器１４３ｃは入力音声データから電子透かし方式Ｃにより埋め込み情報を抽出する構成となっている。さらに方式Ｄ抽出器１５３ｄは入力音声データから電子透かし方式Ｄにより埋め込み情報を抽出する構成となっている。
【０１６３】
また、上記除去部１５４は、上記電子透かし方式Ａ，Ｂ，Ｃ，Ｄに対応する方式Ａ除去器１５４ａ，方式Ｂ除去器１５４ｂ，方式Ｃ除去器１５４ｃ，方式Ｃ除去器１５４ｄを有しており、制御信号に基づいて、所要の除去器により、配布音声データにおける埋め込み情報を除去するよう構成されている。
例えば、上記方式Ａ除去器１５４ａは、配布音声データ（入力音声データ）から電子透かし方式Ａにより埋め込み情報を除去する構成となっている。上記方式Ｂ除去器１５４ｂは入力音声データから電子透かし方式Ｂにより埋め込み情報を除去する構成となっている。さらに方式Ｃ除去器１５４ｃは入力音声データから電子透かし方式Ｃにより埋め込み情報を除去する構成となっている。さらに方式Ｄ除去器１５４ｄは入力音声データから電子透かし方式Ｄにより埋め込み情報を除去する構成となっている。
【０１６４】
また、データ処理装置１５０は、制御信号に基づいて上記加工音声データを再生する音声再生部１５６と、制御信号に基づいて上記出力音声データを記録する記録部１５７とを有している。ここで、上記音声再生部１５６は、上記出力音声データを復号化して音声信号を出力する音声デコード１５６ａと、該音声信号を音声に変換して出力する１５６ｂとから構成されている。また、この音声再生部１５６では、ＴＯＣ情報に記録されている音声データ再生情報Ｄa1〜Ｄanの順に個別音声データの再生が行われるようになっている。
さらに、上記データ処理装置１５０は、種々の演算処理やデータ処理を行うＣＰＵと、該ＣＰＵの動作プログラムを格納したＲＡＭ（ランダムアクセスメモリ）とから構成され、上記制御信号により、各部１５１〜１５７の動作を制御する制御部１５８を有している。この制御部１５８のＲＡＭは、取得部１５１，除去部１５４からの音声データ、及び抽出部１５３からの埋め込み情報を一時的に格納する実行メモリとしての機能を有している。
【０１６５】
なお、上記実施の形態５では、音声再生部１５６にて取得された加工音声データの再生を行うようにしているが、音声再生部１５６では、加工音声データに、配布音声データにおける埋め込み情報を既定の電子透かし方式により再度埋め込んで得られる出力音声データの再生を行うようにしてもよい。
また、上記実施の形態５では、データ処理装置として、取得部１５１がＤＶＤ−ＲＯＭドライブを有するものを示したが、データ処理装置の取得部１５１は、ＤＶＤ−ＲＡＭドライブ，ＣＤ−ＲＯＭドライブ，半導体メモリ読込み装置など、マルチメディアデータを扱うことが可能な大容量記憶装置を有するものであればよい。
さらに、上記実施の形態５では、データ処理装置として、抽出部１５３，除去部１５４，挿入部１５５がカスタムＬＳＩにより構成されているものを示したが、これらの部分１５３〜１５５は、各種演算処理を行うＣＰＵと、その動作プログラムを格納する、実行メモリを兼ねるＲＡＭから構成してもよい。この場合には、特に、これらの部分１５３〜１５５と制御部１５８の間で構成機器を共有することが可能である。
また、上記実施の形態５では、保持部１５２として、ＤＲＡＭを搭載したものを示したが、該保持部はＳＲＡＭなど一時記憶に適したメモリであればどのような記憶装置を搭載したものでもよい。
【０１６６】
次に動作について説明する。
以下の動作説明では、説明を簡単にするため、上記ＴＯＣ情報ＩtoはＤＶＤ−ＲＯＭディスクの記憶領域の先頭部分に連続的に所定のサイズの情報として記録されているものとする。
【０１６７】
（ＴＯＣ情報の読み出し）
上記取得部１５１では、制御部１５８からの制御信号に基づいて、ＤＶＤ−ＲＯＭディスクの記録領域の先頭部分から所定のサイズ分の情報が読み出され、該読み出された情報，つまりＴＯＣ情報Ｉtoは保持部１５２へ供給される。
【０１６８】
（ＴＯＣ情報の格納）
上記保持部１５２では、制御部１５８からの制御信号に基づいて、上記取得部１５１にて取得されたＴＯＣ情報Ｉto全体（つまりＴＯＣ情報Ｉtoに含まれるすべての音声データ再生情報Ｉr1〜Ｉrn）が、そのままの状態で，つまりデータ処理が施されることなく、ＤＲＡＭに格納される。なお、上記ＤＲＡＭには、ＴＯＣ情報Ｉtoに含まれるすべての音声データ再生情報Ｉr1〜Ｉrnの一部、例えば、次に再生される個別音声データに応じた音声データ再生情報のみを記録するようにしてもよい。
【０１６９】
（音声データの読み出し）
次に、上記制御部１５８では、保持部１５２に格納されたＴＯＣ情報Ｉtoから、再生処理の対象となる個別音声データＤa1〜Ｄanに対応する音声データ再生情報Ｉr1〜Ｉrnが、個別音声データの再生順序で順次取得される。
さらに、制御部１５８では、取得した音声データ再生情報から音声データ記録開始位置情報Ｉsp及び音声データ記録終了位置情報Ｉepが取得される。すると、制御部１５８からは、上記音声データ記録開始位置情報Ｉspに応じた制御信号が取得部１５１に供給される。取得部１５１では、制御部１５８からの制御信号に基づいて、ＤＶＤ−ＲＯＭディスクから、再生の対象となる個別音声データを取得する処理が行われる。取得部１５１にて取得された個別音声データは抽出部１５３及び除去部１５４へ供給される。
また、このデータ取得処理の際には、制御部１５８では、ＤＶＤ−ＲＯＭディスクの記録領域のどの部分からデータを読みだしているかが監視されており、該記録領域における読み出し処理が行われている位置が、取得した音声データ記録終了位置情報Ｉepが示す位置と一致したとき、上記取得部１５１は制御部１５８により、個別音声データの取得処理が停止されるよう制御される。
この後、制御部１５８では、次に再生される個別音声データを取得するため、この個別音声データに対応する音声データ再生情報を保持部から取得する処理が行われ、引き続き次の個別音声データを取得するための処理が行われる。
【０１７０】
（埋め込み情報の抽出）
上記制御部１５８では、再生対象となる個別音声データに対応する音声データ再生情報から使用電子透かし方式情報を抽出する処理が行われる。すると、制御部１５８では、該使用電子透かし方式情報Ｉumにおける、各電子透かし方式に対応する使用状況情報の値を判定する処理が行われる。制御部１５８からは、上記使用状況情報の値の判定結果に応じた制御信号が抽出部１５３に出力される。すると、抽出部１５３では、上記制御信号に基づいて、適切な電子透かし方式に対応する方式抽出器により、上記再生の対象となる個別音声データから埋め込み情報が抽出される。
例えば、上記使用電子透かし方式情報Ｉumにおける方式Ａ使用状況情報Ｉumａの値が「１」である場合には、抽出部１５３では、上記制御信号に基づいて方式Ａ抽出器１５３ａにより、電子透かし方式Ａにより埋め込み情報の抽出が行われる。一方、上記使用電子透かし方式情報Ｉumにおける方式Ａ使用状況情報Ｉumａの値が「０」である場合には、抽出部１５３では、方式Ａ抽出器１５３ａによる埋め込み情報の抽出処理は行われない。その他の方式Ｂ抽出器１５３ｂ，方式Ｃ抽出器１５３ｃ，及び方式Ｄ抽出器１５３ｄでも、上記方式Ａ抽出器１５３ａと同様に、使用電子透かし方式情報Ｉumにおける方式Ｂ使用状況情報Ｉumｂ，方式Ｃ使用状況情報Ｉumｃ，方式Ｄ使用状況情報Ｉumｄの値に応じて、対応する電子透かし方式Ｂ，Ｃ，あるいはＤによる埋め込み情報の抽出処理が行われる。
【０１７１】
（埋め込み情報の除去）
上記制御部１５８では、再生対象となる音声データに対応する音声データ再生情報から取得した使用電子透かし方式情報に応じた制御信号が除去部１５４に出力される。すると、除去部１５４では、上記制御信号に基づいて、適切な電子透かし方式に対応する方式抽出器により、上記再生の対象となる個別音声データから埋め込み情報が除去される。
例えば、制御部１５８では、使用電子透かし方式情報Ｉumにおける方式Ａ使用状況情報Ｉumａの値が判定される。この判定の結果、方式Ａ使用状況情報Ｉumａの値が「１」であれば、除去部１５４では、制御部１５８からの制御信号に基づいて、電子透かし方式Ａによる埋め込み情報の除去処理が行われる。一方、上記判定の結果、方式Ａ使用状況情報Ｉumａの値が「０」であれば、除去部１５４では、電子透かし方式Ａによる埋め込み情報を除去する処理は行われない。
同様に、制御部１５８では、その他の方式使用状況情報についても順次その値の判定が行われる。そしてその値が「１」である場合には、値の判定が行われた方式使用状況情報に対応する方式除去器にて、埋め込み情報の除去処理が行われ、一方、その値が「０」である場合には、値の判定が行われた方式使用状況情報に対応する方式除去器による埋め込み情報の除去処理は行われない。
そして、上記除去部１５４における除去処理が完了した配布音声データ，つまり加工音声データは音声再生部１５６に供給される。
【０１７２】
（個別音声データの再生）
音声再生部１５６では、送られてきた個別音声データは、音声デコーダ１５６ａにより、ＬＰＣＭ方式の復号化処理が施されて音声信号に変換され、この音声信号はスピーカ１５６ｂにより音声に変換されて出力される。
また、このデータ処理装置１５０では、上記のような音声データの再生処理が行われる一方で、実施の形態１〜４のデータ処理装置と同様に、個別音声データに対する埋め込み情報の再埋め込み処理、再埋め込みにより得られた出力音声データの記録が行われる。
【０１７３】
（情報の再埋め込みの判定）
また、取得部１５１からの個別音声データが電子透かし方式Ａに対応するものである場合は、制御部１５８では、この個別音声データには、これに含まれている埋め込み情報を再度、他の電子透かし方式により埋め込む必要はないと判定される。これは、上記個別音声データの埋め込み情報は、既定の電子透かし方式（方式Ａ）を採用した再生装置、例えばＤＶＤ−ＲＡＭディスクに対応する既存の再生装置により、抽出可能であるためである。
一方、取得部１５１からの個別音声データが電子透かし方式Ｂに対応するものである場合は、制御部１５８では、この音声データに対して、電子透かし方式Ａによって埋め込み情報を再度埋め込む必要があると判定される。
【０１７４】
（情報の再埋め込み）
個別音声データが電子透かし方式Ａに対応しており、上記制御部１５８にて、個別音声データに対する再埋め込み処理が不要と判定された場合は、制御部１５８から挿入部１５５には制御信号は供給されず、制御部１５８の実行メモリに格納されている上記個別音声データが記録部１５７に供給される。
一方、個別音声データが電子透かし方式Ｂに対応しており、上記制御部１５８にて、個別音声データに対する再埋め込み処理が必要があると判定された場合は、挿入部１５５では、制御部１５８からの制御信号に基づいて、上記個別音声データに対して、電子透かし方式Ａによって埋め込み情報を再度埋め込む処理が行われる。
【０１７５】
（個別音声データの記録）
上記制御部１５８にて電子透かし方式Ａに対応すると判定された個別音声データは、挿入部１５５での再埋め込み処理が施されずにそのまま記録部１５７に記録される。一方、制御部１５８にて電子透かし方式Ａ以外の方式に対応すると判定された個別音声データは、挿入部１５５にて電子透かし方式Ａにより再埋め込み処理が施された後、記録部１５７に格納される。
このように本実施の形態５のデータ処理装置１５０では、実施の形態１のデータ処理装置１１０における取得部１１１に代えて、ＤＶＤ−ＲＯＭディスクから配布音声データを読みだすＤＶＤ−ＲＯＭドライブを有し、ＤＶＤ−ＲＯＭディスクから読みだされた配布音声データに含まれる、ＴＯＣ情報Ｉto及び複数の個別音声データＤa1〜Ｄanを取得する取得部１５１を備え、ＴＯＣ情報Ｉtoに各個別音声データに対応する音声データ再生情報Ｉr1〜Ｉrnとして格納されている使用電子透かし方式情報Ｉumに応じて、個別音声データにおける著作権情報等の埋め込み情報を除去して再生するようにしたので、記録媒体により配布される個別音声データの再生を、著作権情報等の埋め込み情報による音質劣化を招くことなく良好に行うことができる。
また、個別音声データが、家電機器としての再生装置等で採用されている既定の電子透かし方式に対応するとき、この個別音声データをそのまま記録媒体に記録し、個別音声データが、上記既定の電子透かし方式以外の方式に対応するとき、この個別音声データに対して既定の電子透かし方式により埋め込み情報を再度埋め込んで得られる出力音声データを記録媒体に記録するようにしたので、再埋め込み処理が不要な個別音声データに対して、情報の書き込みが行われるのを回避することができ、音質劣化などの要因となるデジタル音声データに対する処理を必要最小限に抑えることができる。
【０１７６】
なお、上記実施の形態５では、ＴＯＣ情報はＤＶＤ−ＲＯＭディスクの記録領域の先頭部分に記録されている例を示したが、制御部が、メディアの記録領域におけるＴＯＣ情報の記録位置を認識可能であれば、ＴＯＣ情報はＤＶＤ−ＲＯＭディスクの記録領域のどの部分に記録されていてもよい。
例えば、ＤＶＤ−ＲＯＭディスクの記録領域にファイルシステムが構築されており、該ディスクに記録された情報を、そのファイル名に従ってアクセスが可能であれば、ＴＯＣ情報をこれに所定のファイル名を付与して記録するようにすることにより、記録メディアにおけるＴＯＣ情報の物理的な配置に拘わらず、ＴＯＣ情報が読み出し可能となる。
【０１７７】
また、上記実施の形態５では、個別音声データの再生を、ＴＯＣ情報に記録されている各個別音声データに対応する音声データ再生情報の順序で行うようにしているが、データ処理装置が、使用者による再生すべき個別音声データの選択を受け付ける機構を有するものであれば、使用者に、次に再生する個別音声データを指定させるようにすることも可能である。
また、ＴＯＣ情報中に、個別音声データの再生順序を示す情報（再生順序情報）が含まれている場合には、制御部が、この再生順序情報を参照して、個別音声データの再生順序を決定するようにすることも可能である。
【０１７８】
さらに、上記実施の形態５では、音声再生部は、供給された個別音声データを、音声デコーダにて復号化し、スピーカーによって再生する構成としているが、音声再生部の構成はこれに限るものではない。例えば、音声再生部を、上記音声デコード及びスピーカを有し、音声デコーダによる個別音声データの復号化処理により得られたアナログ音声信号を、音声ケーブルなどを経由して他の録音装置へ出力可能な構成としてもよい。
さらに、上記実施の形態５のデータ処理装置を、上記音声再生部に供給される個別音声データを、デジタルデータのままで、デジタル送出ケーブルなどを経由して他のデジタルデータ記録装置へ出力する構成としてもよい。
また、実施の形態５では、取得部のＤＶＤ−ＲＯＭドライブに装着される記録媒体（ＤＶＤ−ＲＯＭディスク）は、デジタルデータとして、配布元から利用者への供給の対象となる供給デジタルデータにその関連情報を埋め込んで得られる情報埋め込みデジタルデータと、該情報埋め込みデジタルデータに付随する、上記供給デジタルデータへの関連情報の埋め込み処理に用いられた使用電子透かし方式を示す使用方式情報とを記録したものであってもよい。この場合、情報埋め込みデジタルデータは、上記使用方式情報に基づいて適切な電子透かし方式を用いて上記関連情報を抽出あるいは除去する処理が可能なデータ構造となっている。さらに、上記記録媒体（ＤＶＤ−ＲＯＭディスク）には、上記使用方式情報として、上記供給デジタルデータへの関連情報の埋め込み処理に用いられた、異なる電子透かし方式を示す複数の使用方式情報が記録されていてもよい。
【０１７９】
実施の形態６．
図１４は本発明の実施の形態６によるデータ処理装置を説明するためのブロック図である。
この実施の形態６のデータ処理装置１６０は、放送局からの放送電波を受信し、該受信した放送電波から、配布元から利用者への供給対象となるデジタル音声データ（供給音声データ）に電子透かし方式により情報を埋め込んで得られる第１のデジタル音声データ（配布音声データ）を取得し、該配布音声データに対してその埋め込み情報（以下第１の埋め込み情報ともいう。）の抽出処理及び除去処理を行うとともに、該埋め込み情報を加工して加工情報（以下第２の埋め込み情報ともいう。）を生成し、該配布音声データに対する除去処理により得られる第２のデジタル音声データ（加工音声データ）に、上記電子透かし方式とは異なる他の電子透かし方式により加工情報を埋め込んで第３のデジタル音声データ（出力音声データ）を生成するものである。
【０１８０】
ここでは、供給音声データに対する情報埋め込み処理に使用される電子透かし方式は、方式Ａ，方式Ｂ，方式Ｃの３つのうちのいずれかとしている。また、第１の埋め込み情報の抽出は、適切な電子透かし方式により行われ、上記再埋込処理は、少なくとも、家電機器としての再生装置等に採用されている既定の電子透かし方式を用いて、行われるようになっている。また、上記適切な電子透かし方式は、上記供給音声データに対する情報の埋込処理に使用された使用電子透かし方式と同一のものである。さらに、配布音声データは、ＬＰＣＭ方式により符号化処理が施されたものであり、この配布音声データには、既定の電子透かし方式（方式Ａ）により第１の埋め込み情報が挿入されている。
【０１８１】
（第１の埋め込み情報のデータ構造）
図１５(a) は、第１の埋め込み情報のデータ構造を示している。
この第１の埋め込み情報Ｉwm１には、著作権者情報Ｉcr，記録時使用電子透かし方式情報Ｉrm，記録装置識別番号情報Ｉdi，コピー世代情報Ｉcg，コピー元識別情報Ｉcsなどが含まれている。
この第１の埋め込み情報Ｉwm１はそのデータ長が一定であるデータ構造となっている。このため、楽曲等の長さによってデータ長が異なる配布音声データには、第１の埋め込み情報として同一の情報が繰り返し挿入されている。
【０１８２】
図１６（a）は、上記第１の埋め込み情報Ｉwm１に含まれる記録時使用電子透かし方式情報Ｉrmの値を示している。
この記録時使用電子透かし方式情報Ｉrmは、データ処理装置１６０にて記録処理の対象となる記録音声データに埋め込み情報を挿入する際に使用される電子透かし方式を識別するための情報である。
つまり、配布音声データには、既定の電子透かし方式によって第１の埋め込み情報が埋め込まれている。また上記配布音声データあるいはこれを加工して得られる加工音声データが記録媒体に記録される際には、別の電子透かし方式によって、上記第１の埋め込み情報に対応する情報の再度埋め込み処理が行われる。上記記録時使用電子透かし方式情報Ｉrmは、この再埋め込み処理に用いられるべき電子透かし方式を識別するための情報である。
【０１８３】
このような記録時使用電子透かし方式情報Ｉrmは２ビットで表される。具体的にはこの情報Ｉrmの値「００」は、記録媒体へ記録される音声データに対して、電子透かし方式による情報の埋め込み処理を行わないことを示している。また、情報Ｉrmの値「０１」は、記録媒体へ記録される音声データに対して、電子透かし方式Ａによる情報の埋め込み処理を行うことを示している。また、情報Ｉrmの値「１０」，「１１」は、記録媒体へ記録される音声データに対して、電子透かし方式Ｂ，Ｃによる情報の埋め込み処理を行うことを示している。
【０１８４】
なお、ここでは音声データの符号化処理の方式としてＬＰＣＭ方式を挙げているが、音声データ符号化方式はこれに限らず、ＡＣ３方式，Ｍｐｅｇ  Ａｕｄｉｏ方式，ＤＴＳ方式などのその他の符号化方式であってもよい。
また、ここでは、本データ処理装置１６０に放送電波により音声データが単独で送信されてくる場合を示しているが、音声データの送信形態はこれに限るものではない。例えば、このデータ処理装置１６０には、映像データと音声データとを多重化してなるビデオオブジェクト（多重デジタルデータ）として、音声データが送信されてきてもよい。
さらに、ここでは、供給音声データに既定の電子透かし方式により情報が埋め込んで配布音声データを生成している場合を示しが、供給音声データに対する情報埋め込み処理に使用された電子透かし方式の種類を示す情報がデータ処理装置に送信される場合には、供給音声データに対する情報埋め込み処理には、どのような電子透かし方式でも用いることが可能である。
また、ここでは、配布音声データには、第１の埋め込み情報として同一の情報が繰り返し埋め込まれている場合を示したが、配布音声データには、第１の埋め込み情報として互いに異なる情報が埋め込まれていてもよい。
また、ここでは第１の埋め込み情報Ｉwm１には、著作権者情報Ｉcr，記録時使用電子透かし方式情報Ｉrm，記録装置識別番号情報Ｉdi，コピー世代情報Ｉcg，コピー元識別情報Ｉcsなどが含まれている場合を示したが、第１の埋め込み情報Ｉwm１には、上記情報の他に記録日時情報Ｉrdなどどのような情報が記録されていてもよい。
【０１８５】
（第２の埋め込み情報のデータ構造）
図１５(b) は、記録媒体に記録される音声データ（配布音声データあるいは加工音声データ）に電子透かし方式によって挿入される第２の埋め込み情報のデータ構造を示している。
第２の埋め込み情報Ｉwm２は、第１の埋め込み情報Ｉwm１における記録時使用電子透かし方式情報Ｉrmの代わりに、使用電子透かし方式情報Ｉumを含むデータ構造となっている。この使用電子透かし方式情報Ｉumは、配布音声データあるいは加工音声データに対する情報埋め込み処理がいずれの電子透かし方式により行われたかを示す情報である。使用電子透かし方式情報Ｉumの値及びこの値の意味は、記録時使用電子透かし方式情報Ｉrmの値及びこの値の意味と同一である。
つまり、上記使用電子透かし方式情報Ｉumは図１６（b）に示すように、２ビットで表される。具体的にはこの情報Ｉumの値「００」は、記録媒体へ記録される音声データに対して、電子透かし方式による情報の埋め込み処理を行われていないことを示している。また、情報Ｉumの値「０１」は、記録媒体へ記録される音声データに対して、電子透かし方式Ａによる情報の埋め込み処理が行われたことを示している。また、情報Ｉumの値「１０」，「１１」は、記録媒体へ記録される音声データに対して、電子透かし方式Ｂ，Ｃによる情報の埋め込み処理が行われたことを示している。
【０１８６】
なお、ここでは、第２の埋め込み情報として、そのデータ構造が、第１の埋め込み情報のデータ構造と同一のものを示したが、第２の埋め込み情報は、第１の埋め込み情報に比べて、コピー日時情報など別の項目の情報が増えているデータ構造、あるいは第１の埋め込み情報における一部の項目の情報，例えばコピー世代情報が削除されているデータ構造であってもよい。
また、ここでは、使用電子透かし方式情報Ｉumが第２の埋め込み情報Ｉwm２に含まれている場合を示したが、配布音声データあるいは加工音声データとは別に、音声データの属性情報が記録媒体に記録される場合には、使用電子透かし方式情報Ｉumは上記属性情報として記録するようにすれば、第２の埋め込み情報Ｉwm２に使用電子透かし方式情報が含まれていなくてもよい。
【０１８７】
（データ処理装置の構成）
この実施の形態６のデータ処理装置１６０は、放送局Ｂｃからの放送電波Ｂｗを受信するアンテナ１６１ａと、受信した放送電波Ｂｗをデコードして上記配布音声データ（第１デジタル音声データ）を生成する受信デコード１６１ｂとを有し、制御信号に基づいて放送電波Ｂｗから配布音声データを取得する取得部１６１を有している。
また、上記データ処理装置１６０は、カスタムＬＳＩにより構成され、制御信号に応じて、上記配布音声データにおける埋め込み情報を第１埋め込み情報Ｉwm１として抽出する情報抽出処理を行う抽出部１６２と、カスタムＬＳＩにより構成され、制御信号に応じて、上記配布音声データにおける埋め込み情報Ｉwm１を除去して加工音声データ（第２デジタル音声データ）を生成する情報除去処理を行う除去部１６３と、カスタムＬＳＩにより構成され、制御信号に基づいて、上記第１の埋め込み情報Ｉwm１の加工により得られる第２の埋め込み情報Ｉwm２を、種々の電子透かし方式により上記加工音声データに再度埋め込んで出力音声データ（第３のデジタル音声データ）を生成する挿入部１６４とを有している。
【０１８８】
ここで、上記抽出部１６２は、上記電子透かし方式Ａ，Ｂ，Ｃに対応する方式Ａ抽出器１６２ａ，方式Ｂ抽出器１６２ｂ，方式Ｃ抽出器１６２ｃを有しており、制御信号に基づいて、所要の抽出器により、配布音声データにおける埋め込み情報Ｉwm１を抽出するよう構成されている。
例えば、上記方式Ａ抽出器１６２ａは、配布音声データ（入力音声データ）から電子透かし方式Ａにより埋め込み情報Ｉwm１を抽出する構成となっている。上記方式Ｂ抽出器１６２ｂは入力音声データから電子透かし方式Ｂにより埋め込み情報Ｉwm１を抽出する構成となっている。さらに方式Ｃ抽出器１６２ｃは入力音声データから電子透かし方式Ｃにより埋め込み情報Ｉwm１を抽出する構成となっている。
【０１８９】
また、上記除去部１６３は、上記電子透かし方式Ａ，Ｂ，Ｃに対応する方式Ａ除去器１６３ａ，方式Ｂ除去器１６３ｂ，方式Ｃ除去器１６３ｃを有しており、制御信号に基づいて、所要の除去器により、配布音声データにおける埋め込み情報Ｉwm１を除去するよう構成されている。
例えば、上記方式Ａ除去器１６３ａは、配布音声データから電子透かし方式Ａにより埋め込み情報Ｉwm１を除去する構成となっている。上記方式Ｂ除去器１６３ｂは配布音声データから電子透かし方式Ｂにより埋め込み情報Ｉwm１を除去する構成となっている。さらに方式Ｃ除去器１６３ｃは配布音声データから電子透かし方式Ｃにより埋め込み情報Ｉwm１を除去する構成となっている。
【０１９０】
また、データ処理装置１６０は、制御信号に基づいて、出力音声データを格納する記録部１６６と、この装置を識別するための装置固有番号情報を保持する装置情報保持部１６５と、種々の演算処理やデータ処理を行うＣＰＵと、該ＣＰＵの動作プログラムを格納したＲＡＭ（ランダムアクセスメモリ）とから構成され、上記制御信号により、各部１６１〜１６６の動作を制御する制御部１６７を有している。
ここで、上記装置情報保持部１６７はＥＥＰＲＯＭを搭載しており、その装置固有番号保持領域１６５ａには、上記装置固有番号情報が格納されている。また、記録部１６６はＤＶＤ−ＲＡＭドライブを搭載しており、上記出力音声データをＤＶＤ−ＲＡＭディスクに記録する構成となっている。また、上記制御部１６７は、保持部１６５のＥＥＰＲＯＭの記録領域に格納されている装置固有番号情報に基づいて、上記第１の埋め込み情報を加工して上記第２の埋め込み情報を作成する埋め込み情報加工処理を行う構成となっている。さらに上記制御部１６７のＲＡＭは、上記除去部１６３，挿入部１６４からの音声データ、及び抽出部１６２からの第１の埋め込み情報Iwm１，制御部１６７で生成した第２の埋め込み情報Iwm２を一時的に格納する実行メモリの機能を兼ねている。
なお、ここでは上記取得部１６１として、アンテナ及びデコーダを有する構成のものを示したが、この取得部の構成はこれに限るものではない。
例えば、上記取得部は、ネットワークインタフェースやモデム装置など有線回線を介して送信信号を受信する受信装置を有する構成であってもよい。また、上記取得部は、ＤＶＤ−ＲＯＭドライブ，ＤＶＤ−ＲＡＭドライブ，ＣＤ−ＲＯＭドライブ，あるいは半導体メモリアクセス装置など、マルチメディアデータのアクセス可能な大容量記憶装置を有する構成であってもよい。
また、ここでは、データ処理装置として、抽出部，挿入部，除去部を各々別のカスタムＬＳＩにより構成したものを示したが、各部で行われる処理は類似しているため、部品点数削減の観点からはこれらの部分を１つのカスタムＬＳＩで構成することが望ましい。
【０１９１】
さらに、上記実施の形態６では、データ処理装置として、抽出部１６２，除去部１６３，挿入部１６４がカスタムＬＳＩにより構成されているものを示したが、これらの部分１６２〜１６４は、各種演算処理を行うＣＰＵと、その動作プログラムを格納する、実行メモリを兼ねるＲＡＭから構成してもよい。この場合これらの部分１６２〜１６４と制御部１６７の間で構成機器を共有することが可能である。
また、上記装置情報保持部１６５はＥＥＰＲＯＭを搭載した構成としたが、装置情報保持部は不揮発メモリであればどのようなものを搭載していてもよい。
また、装置情報保持部には、装置を識別するための装置固有情報が保持される場合を示したが、この装置情報保持部には、装置の使用者を識別するための識別番号などのその他の情報が保持されていてもよい。特に装置情報保持部に、装置の使用者を識別するための番号を保持する場合には、装置情報保持部は、ＩＣカード，磁気カードなどのリーダを搭載し、装置の使用者が、自分の識別番号情報が記録されたカードをリーダに装着して、装置に使用者識別番号を通知するようにすることもできる。
また、ここで記録部１６６は、ＤＶＤ−ＲＡＭドライブを搭載した構成としているが、記録部は、ＣＤ−Ｒドライブ，半導体メモリアクセス装置など、マルチメディアデータのアクセスが可能な大容量の書き込み可能な記憶装置であれば、どのような記録装置を備えていてもよい。
次に動作について説明する。
【０１９２】
（音声データの読み出し）
上記取得部１６１では、放送局Ｂｃからの放送電波Ｂｗがアンテナに受信され、該放送電波Ｂｗが受信デコーダ１６１ｂに入力されると、放送電波Ｂｗは受信デコーダ１６１ｂでのデコード処理により配布音声データ（第１のデジタル音声データ）に変換される。この配布音声データは、抽出部１６２及び除去部１６３に供給される。
【０１９３】
（埋め込み情報の抽出）
上記抽出部１６２では、制御部１６７からの制御信号に基づいて、取得部１６１にて取得された配布音声データから既定の電子透かし方式により第１の埋め込み情報Ｉwm１を抽出する処理が行われる。そして上記抽出された第１の埋め込み情報Ｉwm１は制御部１６７の実行メモリに一旦記録される。
【０１９４】
（埋め込み情報の除去）
上記除去部１６３では、制御部１６７からの制御信号に基づいて、取得部にて取得された配布音声データから既定の電子透かし方式により第１の埋め込み情報Ｉwm１を削除して加工音声データを生成する処理が行われる。この加工音声データは、挿入部１６４へ供給される。
【０１９５】
（埋め込み情報の加工）
上記制御部１６７では、その実行メモリに保持されている第１の埋め込み情報Ｉwm１を加工して第２の埋め込み情報Ｉwm２を作成する処理が行われる。
つまり、第１の埋め込み情報には含まれる、著作権者情報，記録時使用電子透かし方式情報，記録装置識別番号情報，コピー世代情報，コピー元識別情報等の情報と、装置情報保持部に記録されている装置固有番号に基づいて、第２の埋め込み情報が作成される。
【０１９６】
この際、著作権者情報，記録時使用電子透かし方式情報については、第１の埋め込み情報Ｉwm１に記述された値がそのまま第２の埋め込み情報Ｉwm２にもコピーされる。第２の埋め込み情報Ｉwm２中の記録装置識別番号情報には、装置情報保持部１６５に記録されている装置固有番号がそのまま記録される。これによって、コピーされた音声データの所有者を特定することが可能である。また、第２の埋め込み情報Ｉwm２には、コピー世代情報の値として、第１の埋め込み情報Ｉwm１に記録されている値に１を足した値が記録される。これによって、配布音声データのコピーが、オリジナルの音声データに対する何回目のコピーであるかを特定することが可能である。
【０１９７】
さらに第２の埋め込み情報Ｉwm２におけるコピー元識別情報には、第１の埋め込み情報Ｉwm１における記録装置識別番号情報が記録される。これによって配布音声データのコピーを行った装置を特定可能であり、このコピー元識別情報を順次遡ることによって、違法コピー発見時に問題を犯した使用者または装置を特定することが可能である。
このようにして作成された第２の埋め込み情報Ｉwm２は挿入部１６４へと送られる。
【０１９８】
（第１の埋め込み情報の再埋め込み）
上記挿入部１６４では、制御信号に基づいて、除去部１６３からの出力である加工音声データに、制御部１６７にて生成された第２の埋め込み情報を電子透かしによって埋め込んで、出力音声データ（第３のデジタル音声データ）を生成する処理が行われる。
この際、加工音声データには、その先頭部分から最終部分までの部分に渡って、音声データの長さに応じて繰り返し複数回にわたって第２の埋め込み情報Ｉwm２が埋め込まれることとなる。特に、この１回目の第２の埋め込み情報Ｉwm２の埋め込み処理は、既定の電子透かし方式によって行われる。２回目以降の埋め込み情報処理は、第１の埋め込み情報Ｉwm１における記録時使用電子透かし方式情報が示す電子透かし方式が使用される。
１回目の第２の埋め込み処理Ｉwm２のみを既定の電子透かし方式によって行うことによって、次に、出力音声データから第２の埋め込み情報Ｉwm２を抽出する際に、この出力音声データの先頭部分における埋め込み情報は、既定の電子透かし方式によって抽出することができる。また、こうして抽出された第２の埋め込み情報Ｉwm２に基づいて、出力音声データの先頭部分以外の部分における埋め込み情報の抽出あるいは除去を行うことができる。
このようにして、作成された出力音声データは記録部１６６に供給される。
【０１９９】
（出力音声データの記録）
上記挿入部６４からの出力音声データが記録部１６６に供給されると、該記録部１６６では、制御部１６７からの制御信号に基づいてこの出力音声データがＤＶＤ−ＲＡＭディスクに格納される。ここでは、出力音声データはＤＶＤ−ＲＡＭメディアの先頭の記録領域から順次記録されていく。
このように本実施の形態６のデータ処理装置１６０では、実施の形態１のデータ処理装置１１０における取得部１１１に代えて、放送局からの放送電波Ｂｗを受信するアンテナ及び受信した放送電波Ｂｗをデコードする受信デコーダを有し、該デコーダの出力として配布音声データを取得する取得部１６１を備え、該配布音声データにおける埋め込み情報（第１の埋め込み情報）Ｉwm１の抽出処理及び除去処理を行うとともに、該埋め込み情報Ｉwm１を加工して加工埋め込み情報（第２の埋め込み情報）Ｉwm２を生成し、該配布音声データに対する除去処理により得られる第２のデジタル音声データ（加工音声データ）に、上記電子透かし方式とは異なる他の電子透かし方式により加工埋め込み情報Ｉwm２を埋め込んで第３のデジタル音声データ（出力音声データ）を生成するので、配布音声データにおける埋め込み情報に対する情報の付加あるいは削除が可能となる。
【０２００】
また、上記加工音声データなどのデジタルデータの記録が行われる際に、その記録を行う装置に割り当てられている装置識別番号（例えばＣＰＵの識別番号）や日時などの付加情報を、上記デジタルデータに埋め込むようにすることにより、著作権者がデジタルデータの違法なコピーを発見したときには、違法性証明のためのより詳細な情報をデジタルデータから抽出可能となる。
さらに、上記加工音声データなどのデジタルデータに所定の電子透かし方式によってコピー許可情報などを記録しておくことによって、上記所定の電子透かし方式に対応した記録装置では、コピー許可情報の内容に応じて、該デジタルデータのコピーを許可しないといった直接的なコピー制限を行うことも可能となる。ただし、この場合は、電子透かし方式によって埋め込まれたコピー許可情報を参照せずにコピーを行う記録装置では、不正なコピーを制限することは不可能であることは言うまでもない。
【０２０１】
なお、上記実施の形態６では、配布音声データは放送電波の受信により取得するものを示したが、配布音声データは、イーサネットや電話回線などの有線回線を通って送信される送信信号を、ネットワークカードないしはモデム装置によって受信することにより取得するようにしてもよい。
また、該実施の形態６のデータ処理装置は、放送電波の受信により得られる複数の配布音声データをすべて処理するのではなく、装置の使用者により選択された処理する配布音声データのみを処理するようにしてもよい。
さらに、上記実施の形態６では、配布音声データの放送電波による供給は、音声データ単独で行う場合に限らず、映像データ等と多重化された状態で行われる場合もあり、この場合には、放送電波により送信されてくるビデオオブジェクトなどの多重デジタルデータから配布音声データを抽出することができる。
また、上記実施の形態６では、記録部１６６では、出力音声データがＤＶＤ−ＲＡＭメディアの先頭の記録領域から順次記録されていく場合を示したが、記録部１６６での出力音声データの記録方法はこれに限るものではない。
例えば、記録状況に応じてその時点でのメディアにおける空き領域を適宜探索して、この空き領域に出力音声データを書き込むようにしてもよい。また、装置の利用者によって指定されたメディアの書き込み先領域に出力音声データを書き込むようにしてもよい。さらに、ＤＶＤ−ＲＡＭディスクにファイルシステムを構築しておき、出力音声データの書き込みはファイル名に基づいて行うよにしてもよい。この場合、出力音声データはファイルシステムを経由して記録されるため、記録メディアの記録領域における出力音声データの物理的な書き込み位置はどこでもよい。
【０２０２】
実施の形態７．
図１７は本発明の実施の形態７によるデータ処理装置を説明するためのブロック図である。
この実施の形態７のデータ処理装置１７０は、実施の形態２におけるデータ処理装置１２０の構成に加えて、配布音声データにおける埋め込み情報を除去する除去部１７３を備えたものである。
この実施の形態７のデータ処理装置１７０は、ネットワークＮ上のネットワーク信号Ｓｎから、上記情報埋め込みデジタル音声データ（配布音声データ）Ｄauを入力デジタル音声データとして取得するとともに、配布音声データＤauに付随して送信される音声データ属性情報を取得する取得部１７１と、制御信号に基づいて、情報埋め込みデジタルデータＤauから埋め込み情報を抽出する抽出部１７２と、制御信号に基づいて、情報埋め込みデジタルデータＤauから埋め込み情報を除去する除去部１７３とを有している。
【０２０３】
ここで、上記取得部１７１は、ネットワークＮとの間でネットワーク信号Ｓｎの授受を行うネットワークインタフェース１７１ａと、該インタフェース１７１ａからのネットワーク信号Ｓｎに復号化処理を施して、情報埋め込みデジタル音声データＤau及び音声データ属性情報を生成する受信信号デコーダ１７１ｂとから構成されている。また、上記抽出部１７２は、上記電子透かし方式（１），（２），・・・，（ｎ）に対応する方式1抽出器１７１ａ1 ，方式2抽出器１７１ａ2 ，・・・，方式n抽出器１７１ａn を有しており、制御信号に基づいて、所要の抽出器により、情報埋め込みデジタル音声データＤauにおける埋め込み情報を抽出するよう構成されている。これらの方式抽出器は実施の形態２におけるものと全く同一の構成となっている。
【０２０４】
また、上記除去部１７３は、上記電子透かし方式（１），（２），・・・，（ｎ）に対応する方式1除去器１７３ａ1 ，方式2除去器１７３ａ2 ，・・・，方式n除去器１７３ａn を有しており、制御信号に基づいて、所要の除去器により、情報埋め込みデジタル音声データＤauにおける埋め込み情報を除去するよう構成されている。
例えば、上記方式1除去器１７３ａ1 は、情報埋め込みデジタル音声データＤauから、電子透かし方式（１）により埋め込み情報を除去する構成となっている。上記方式2除去器１７３ａ2 は、情報埋め込みデジタル音声データＤauから、電子透かし方式（２）により埋め込み情報を除去する構成となっている。方式n除去器１７３ａn は、情報埋め込みデジタル音声データＤauから、電子透かし方式（ｎ）により埋め込み情報を除去する構成となっている。
【０２０５】
また、この実施の形態７のデータ処理装置１７０は、上記抽出部１７２により抽出された埋め込み情報を、家電機器としての再生装置にて採用されている既定の電子透かし方式により、上記情報除去デジタルデータに再度埋め込んで出力デジタルデータを生成する埋め込み部１７４と、該出力デジタルデータを記録する記録部１７７とを有している。
さらに、この実施の形態７のデータ処理装置１７０は、上記除去部１７３からの情報除去デジタル音声データを、制御信号に基づいて再生する再生部１７５と、上記各部１７１〜１７６を、対応する制御信号により制御する制御部１７７とを有している。ここで、この再生部１７５は、情報埋め込みデジタルデータＤauを音声信号に変換する音声デコーダ１７５ａと、該音声信号を音声に変換するスピーカ１７５ｂとから構成されている。また、上記制御部１７７は、種々の演算処理やデータ処理を行うＣＰＵと、該ＣＰＵの動作プログラムを格納したＲＡＭ（ランダムアクセスメモリ）とから構成されており、上記各部１７１〜１７６の動作を制御する構成となっている。なお、上記ＲＡＭは、上記各部から出力される音声データや音声データ属性情報を一時的に記憶する実行メモリの役割も兼ねている。
【０２０６】
上記制御部１７７は、具体的には、上記取得部１７１にて取得された音声データ属性情報に含まれる使用電子透かし方式情報に基づいて各方式使用状況情報の値を判定し、この判定結果に応じて、各電子透かし方式に対応する方式抽出器による埋め込み情報の抽出処理、及び各電子透かし方式に対応する方式除去器による埋め込み情報の除去処理を制御するとともに、抽出された埋め込み情報に含まれている再生許可情報に基づいて、再生部１７５における音声データの再生処理を制御する構成となっている。具体的には、ここでは、使用電子透かし方式情報を構成する全ての方式使用状況情報に含まれる再生許可情報の値が「１」であれば、制御部１７７は再生部１７５における音声データの再生を許可し、該再生部１７５を、音声データの再生が行われるよう制御するようにしている。
また、このデータ処理装置１７０では、上記各部は相互にデータバスＤbus により相互に接続されており、上記抽出部１７２，除去部１７３及び再生部１７５以外の、上記取得部１７１，挿入部１７２，及び記録部１７６も、上記制御部１７７により制御されるようになっている。
なお、上記抽出部１７２，挿入部１７２及び除去部１７３はそれぞれカスタムＬＳＩにより実現されている。また、上記記録部１７６は、ＤＶＤ−ＲＡＭドライブにより実現されており、上記出力デジタル音声データをＤＶＤ−ＲＡＭディスクに記録するようになっている。
次に動作について説明する。
【０２０７】
（音声データＤau及びその属性情報Ｄprの取得）
ネットワークＮ上からネットワークケーブルを介して供給されるネットワーク信号Ｓｎが、取得部１７１のネットワークインタフェース１７１ａに受信されると、受信されたネットワーク信号Ｓｎが受信信号デコーダ１７１ｂに出力される。受信信号デコーダ１７１ｂでは、ネットワーク信号Ｓｎの復号化処理により、情報埋め込みデジタル音声データＤauと、該音声データＤauに付随して送信される音声データ属性情報Ｄprが生成される。
このようにして取得部１７１にて取得した音声データＤauはデータバスＤbus を介して抽出部１７２，及び除去部１７３へ送られ、また、音声データ属性情報ＤprはデータバスＤbus を介して制御部１７７へ送られる。制御部１７７では、供給された音声データ属性情報は、実行メモリとしてのＲＡＭに一時的に保持される。
【０２０８】
（埋め込み情報の抽出）
上記制御部１７７では、上記音声データ属性情報Ｄprに含まれている使用電子透かし方式情報に基づいて、制御信号により抽出部１７２を制御する動作が行われる。つまり、使用電子透かし方式情報を構成する各方式使用状況情報の値に応じて、対応する方式抽出器に制御信号が供給される。
具体的には、実施の形態２と同様、制御部１７７では、方式使用状況情報の値に応じて、対応する方式抽出器に制御信号を供給する処理が、供給元にて使用される可能性のある全ての方式使用状況情報（方式（１）使用状況情報〜方式（ｎ）使用状況情報）毎に順次行われ、これに応じて、各方式抽出器では、制御部１７７からの制御信号に基づいて入力音声データＤauにおける埋め込み情報の抽出処理が行われる。これにより複数の埋め込み情報が得られる。
【０２０９】
（埋め込み情報の除去）
また、上記制御部１７７では、上記音声データ属性情報Ｄprに含まれている使用電子透かし方式情報に基づいて、制御信号により除去部１７３を制御する動作が行われる。つまり、使用電子透かし方式情報を構成する各方式使用状況情報の値に応じて、対応する方式除去器に制御信号が供給される。
具体的には、まず制御部１７７では、使用電子透かし方式情報における方式（１）使用状況情報の値が参照される。この方式1使用状況情報の値が「１」であれば、上記除去部１７３の除去器１７３a1に対して、電子透かし方式（１）により入力音声データＤauにおける埋め込み情報の除去を指令する制御信号が出力される。これにより、方式１除去器１７３a1では、上記除去部１７３に送られた音声データＤauにおける、電子透かし方式（１）により埋め込まれた情報が、電子透かし方式（１）により除去される。一方、方式１使用状況情報の値が「０」であれば、上記除去器１７３a1に対しては、入力音声データＤauにおける埋め込み情報の除去を指令する制御信号は出力されない。
【０２１０】
次に、制御部１７７では、使用電子透かし方式情報における方式２使用状況情報の値が参照される。この方式2 使用状況情報の値が「１」であれば、上記除去部１７３の除去器１７３a2に対して、電子透かし方式(2) により入力音声データＤauにおける埋め込み情報の除去を指令する制御信号が出力される。これにより、方式2除去器１７３a2では、上記除去部１７３に送られた音声データＤauにおける、電子透かし方式（２）により埋め込まれた情報が、電子透かし方式（２）により除去される。一方、方式２使用状況情報の値が「０」であれば、上記除去器１７３a2に対しては、入力音声データＤauにおける埋め込み情報の除去を指令する制御信号は出力されない。
このようにして、制御部１７７では、方式使用状況情報の値に応じて、対応する方式除去器に制御信号を供給する処理が、配布元にて使用される可能性のある全ての方式使用状況情報（方式１使用状況情報〜方式ｎ使用状況情報）毎に順次行われ、これに応じて、各方式除去器では、制御部１７７からの制御信号に基づいて入力音声データＤauにおける埋め込み情報の除去処理が行われる。
【０２１１】
（音声データＤauの再生）
そして、制御部１７７では、上記埋め込み情報の抽出処理により得られた全ての埋め込み情報に含まれる再生許可情報の値が判定され、この判定結果に応じて、上記入力デジタル音声データＤauを再生するか否かを示す制御信号が再生部１７５に出力される。
つまり、使用電子透かし方式情報を構成する全ての方式使用状況情報に含まれる再生許可情報の値が「１」であれば、制御部１７７により再生部１７５での音声データＤauの再生が許可される。すると、制御部１７７の制御により、音声データＤauが除去部１７３からデータバスＤbus を介して再生部１７５に送られる。該再生部１７５では、受け取った音声データＤauが音声デコーダ１７５ａでの復号化処理により音声信号に変換され、スピーカー１７５ｂからはこの音声信号に対応する音声が再生出力される。
【０２１２】
（埋め込み情報の再埋め込み）
また、このデータ処理装置１７０では、上記除去部１７３からの音声データＤauの再生処理とは独立して、該音声データＤauから抽出された埋め込み情報が、既定の電子透かし方式により再度、該除去部からの音声データＤauに埋め込む処理が行われる。ここで、既定の電子透かし方式は、家電機器としての再生装置に採用されている電子透かし方式である。
すなわち、上記制御部１７７では、上述したように、上記使用電子透かし方式情報における各方式使用状況情報の値に基づいて、配布元での対象音声データに対する情報の埋め込み処理に使用された電子透かし方式の判定が行われており、この判定結果に基づいて、各電子透かし方式により埋め込まれた埋め込み情報が、上記挿入部１７４に供給される。そして、この挿入部１７４には、上記除去部１７３からの音声データに対して、制御部１７７から供給された埋め込み情報が、上記既定の電子透かし方式により再度埋め込まれて、出力デジタル音声データが生成される。
【０２１３】
（出力デジタル音声データの記録）
上記挿入部１７４にて生成された出力デジタル音声データは、記録部１７６に供給され、制御部１７７からの制御信号に基づいて記録媒体に記録される。ここでは、記録部１７６はＤＶＤ−ＲＡＭドライブにより実現されており、上記出力デジタル音声データは、ＤＶＤ−ＲＡＭディスクに格納される。
なお、上記実施の形態７では、使用電子透かし方式情報を構成する全ての方式使用状況情報に含まれる再生許可情報の値が「１」であれば、制御部が再生部１７５での音声データＤauの再生を許可する構成としているが、制御部が再生部１７５での音声データＤauの再生を許可する条件はこれに限るものではない。
例えば、使用電子透かし方式情報を構成する全ての方式使用状況情報に含まれる少なくとも１つの再生許可情報の値が「１」であれば、再生を許可するようにしてもよい。
また、使用電子透かし方式情報を構成する各方式使用状況情報毎に重み付け係数を設定し、この重み付け係数と、各方式使用状況情報に含まれる再生許可情報の値との積を、全ての方式使用状況情報について足し合わせた総和が、一定の閾値を越えているか否かによって、音声データＤauの再生の許可するようにしてもよい。
【０２１４】
このように本実施の形態７では、ネットワークＮ上のネットワーク信号Ｓｎを受信して、情報埋め込みデジタル音声データＤau及び音声データ属性情報Ｄprを取得する取得部１７１を備え、音声データ属性情報Ｄprに使用電子透かし方式情報として含まれている各方式使用状況情報に基づいて、音声データＤauにおける埋め込み情報の抽出及び除去を行い、各埋め込み情報に基づいて加工音声データの再生制御を行うようにしたので、音声データＤauを受信したデータ処理装置では、配布元にて種々の電子透かし方式により音声データＤauに埋め込まれた埋め込み情報に基づいて、音声データＤauの再生制御を正しく行うことができる。
また、この実施の形態７では、配布音声データから埋め込み情報を除去して得られる加工音声データに、既定の電子透かし方式により、配布音声データにおける埋め込み情報を再度埋め込んで記録するようにしたので、既定の電子透かし方式を採用している家電機器である再生装置においても、記録媒体に記録される配布音声データの再生制御を、その埋め込み情報に応じて行うことができるという効果に加えて、記録媒体に記録される配布音声データにおける埋め込み情報の量を、実施の形態２のものに比べて少なくして、この記録媒体に記録されている配布音声データの再生時には、埋め込み情報に起因する音質の劣化を低減することができる。
なお、実施の形態７では、加工音声データを再生部１７５にて再生するようにしているが、この加工音声データに埋め込み情報を再度埋め込んで得られる出力音声データを再生部１７５にて再生するようにしてもよい。
また、実施の形態７では、上記情報埋め込みデジタルデータを、上記供給デジタルデータに、複数の電子透かし方式により複数の関連情報を埋め込んで得られたものとし、上記挿入部を、上記加工デジタルデータに、上記複数の関連情報のうちの所定数の関連情報を、上記複数の電子透かし方式のうちの対応する電子透かし方式，あるいは上記複数の電子透かし方式のいずれとも異なる対応する電子透かし方式により埋め込んで出力デジタルデータを生成する構成としてもよい。
【０２１５】
【発明の効果】
以上のように本発明（請求項１）に係るデータ処理装置によれば、配布元から利用者への供給の対象となる供給デジタルデータにその関連情報を埋め込んで得られる情報埋め込みデジタルデータを入力デジタルデータとして取得するデータ取得手段と、上記入力デジタルデータに対応する、上記関連情報の埋め込み処理に用いられた使用電子透かし方式を示す使用方式情報を取得する方式情報取得手段と、取得した使用電子透かし方式の情報に基づいて、入力デジタルデータから上記関連情報を抽出する情報抽出手段とを備え、この関連情報あるいはその加工により得られる加工情報を、入力デジタルデータあるいはそのデータ処理により得られた処理デジタルデータに埋め込むようにしたので、装置はどのような電子透かし方式により、供給デジタルデータにその関連情報が挿入されているかを判別することが可能となる。このため、関連情報の抽出の際に他の方式を使用して誤った情報を抽出したり、関連情報の除去の際に他の方式を使用して、埋め込まれている関連情報以外の部分を誤って改変したりすることなく、この関連情報の抽出や除去を行うことができる。
【０２１６】
この結果、利用者への音声データなどのデジタルデータの配布を行う配布元では、所要の電子透かし方式を使用して、供給対象となる供給デジタルデータに関連情報を電子透かしとして埋めこむことが可能となる。言い換えると、デジタルデータの配布元では、特にこのデジタルデータがその利用者側で記録媒体に記録されるものである場合には、このデジタルデータの内容に応じて、情報の埋め込みに伴う劣化の最も少ない方式を選択することができる。また、このデジタルデータの送信時の通信速度などに応じて最適の方式を選択することが可能となる。
【０２１７】
また、ネットワーク上から取得した情報埋め込みデジタルデータを、書き込み可能な記録媒体に記録する場合には、該記録媒体に書き込まれるデジタルデータに対する情報埋め込み処理に使用される電子透かし方式を、供給デジタルデータに対するその配布元での情報埋め込み処理に使用されている使用電子透かし方式とは異なるものとすることが可能である。これによって、デジタルデータが再生される装置に応じた電子透かし方式によってデジタルデータに埋め込み情報を挿入することが可能である。
【０２１８】
この発明（請求項２）によれば、請求項１のデータ処理装置において、上記関連情報を、上記供給デジタルデータの著作権者に関連する情報としたので、配布元から利用者への供給の対象となる供給デジタルデータに対する著作権を保護することができる。
【０２１９】
この発明（請求項３）によれば、請求項１のデータ処理装置において、上記関連情報あるいはこれを加工して得られる加工情報を、既定の電子透かしにより入力デジタルデータに埋め込んで出力デジタルデータを生成するので、取得した情報埋め込みデジタルデータがどのような電子透かし方式により関連情報の埋め込み処理が施されたものであっても、家電機器である再生装置では、上記出力デジタルデータに基づいて、情報埋め込みデジタルデータの再生処理を著作権情報などの埋め込み情報に応じて適切に行うことが可能となる。
【０２２０】
この発明（請求項４）によれば、請求項３のデータ処理装置において、上記出力デジタルデータを再生するデータ再生部を備えたので、取得した情報埋め込みデジタルデータの再生を関連情報に応じて制御することができる。
【０２２１】
この発明（請求項５）によれば、請求項３のデータ処理装置において、上記出力デジタルデータを記録するデータ記録部を備えたので、取得した情報埋め込みデジタルデータがどのような電子透かし方式に対応するものであっても、これを既定の電子透かし方式に対応するデジタルデータとして、家電機器である再生装置で利用される記録媒体に格納することができる。
【０２２２】
この発明（請求項６）によれば、請求項１のデータ処理装置において、上記関連情報あるいは加工情報を、既定の電子透かし方式により、入力デジタルデータに所定のデータ処理を施して得られた処理デジタルデータに埋め込むので、入力デジタルデータにおける関連情報を、種々の電子透かし方式に対応したものから、既定の電子透かし方式に置きかえることができる。
【０２２３】
この発明（請求項７）によれば、請求項６のデータ処理装置において、上記出力デジタルデータを再生するデータ再生部を備えたので、取得した情報埋め込みデジタルデータの再生を関連情報に応じて制御することができる。また、処理デジタルデータが、入力デジタルデータにおける埋め込み情報を除去して得られたデジタル音声データである場合には、処理デジタルデータに基づいて、情報埋め込みデジタルデータの再生を、音質の劣化を抑えつつ行うことができる。
【０２２４】
この発明（請求項８）によれば、請求項６のデータ処理装置において、上記出力デジタルデータを記録するデータ記録部を備えたので、取得した情報埋め込みデジタルデータがどのような電子透かし方式に対応するものであっても、これを既定の電子透かし方式に対応する、雑音の少ないデジタルデータとして、家電機器である再生装置で利用される記録媒体に格納することができる。
【０２２５】
この発明（請求項９）によれば、請求項１のデータ処理装置において、上記情報埋め込みデジタルデータを、固定長の第１のデータ部分と可変長の第２のデータ部分とからなる構成とし、上記方式情報取得手段を、上記使用方式情報を上記情報埋め込みデジタルデータの第１のデータ部分から取得する構成としたので、上記方式情報取得手段では、上記情報埋め込みデジタルデータにおける使用方式情報の位置を簡単に検出することができる。
【０２２６】
この発明（請求項１０）によれば、請求項１のデータ処理装置において、上記情報埋め込みデジタルデータを、複数のデータパケットを含むデータ構造とし、上記方式情報取得手段を、上記情報埋め込みデジタルデータにおける所定のデータパケットのヘッダから、上記使用電子透かし方式を示す使用方式情報を取得する構成としたので、上記方式情報取得手段では、上記情報埋め込みデジタルデータにおける使用方式情報を簡単に検出することができる。
【０２２７】
この発明（請求項１１）によれば、請求項１のデータ処理装置において、上記情報埋め込みデジタルデータには補助データ部分を付加し、上記方式情報取得手段を、上記情報埋め込みデジタルデータに付随する補助データ部分から、上記使用電子透かし方式を示す使用方式情報を取得する構成としたので、上記方式情報取得手段では、上記情報埋め込みデジタルデータにおける使用方式情報を簡単に検出することができる。
【０２２８】
この発明（請求項１２）によれば、請求項１のデータ処理装置において、情報埋め込みデジタルデータの取得経路に応じて、使用電子透かし方式を判定して、この判定結果に対応する使用方式情報を取得するようにしたので、配布元からネットワーク上に送信する配布デジタルデータにこれに対応する電子透かし方式情報を含める必要がなくなる。また、記録媒体に格納する配布デジタルデータにもこれに対応する電子透かし方式情報を含める必要がなくなる。これにより配布元から利用者への供給の対象となる供給デジタルデータに対するデータ処理を削減することができる。
【０２２９】
この発明（請求項１３）によれば、請求項１のデータ処理装置において、情報埋め込みデジタルデータを、音声デジタルデータ，映像デジタルデータ，または音声デジタルデータ及び映像デジタルデータを多重化して得られる多重デジタルデータとしたので、音声デジタルデータ，映像デジタルデータ，多重デジタルデータなど種々のデジタルデータに対して、これらに埋め込まれている関連情報を、種々の電子透かし方式に対応したものから、既定の電子透かし方式に対応したものに変換することができる。
【０２３０】
この発明（請求項１４）によれば、請求項１のデータ処理装置において、データ取得手段を、放送局からの放送電波を受信するアンテナと、該アンテナからの受信出力を復調して情報埋め込みデジタルデータを出力する受信波デコーダとを有する構成としたので、放送局からの放送電波から情報埋め込みデジタルデータを取得できる。
【０２３１】
この発明（請求項１５，１６）によれば、請求項１のデータ処理装置において、データ取得手段を、大容量記憶装置から情報埋め込みデジタルデータを読み出すデータ読み出し装置を有する構成としたので、ＤＶＤ−ＲＯＭ，ＤＶＤ−ＲＡＭ，または半導体記録メディアから、上記情報埋め込みデジタルデータを取得することができる。
【０２３２】
この発明（請求項１７）によれば、請求項１のデータ処理装置において、上記情報埋め込みデジタルデータには複数の電子透かし方式によりそれぞれ、上記供給デジタルデータに対する関連情報を埋め込み、これらの関連情報を、対応する電子透かし方式により抽出するので、種々の関連情報を、最適な電子透かし方式により供給デジタルデータに埋め込むことができる。
【０２３３】
この発明（請求項１８）によれば、請求項１のデータ処理装置において、上記情報埋め込みデジタルデータには複数の電子透かし方式によりそれぞれ、供給デジタルデータに対応する関連情報を埋め込み、これらの関連情報の所定のものを既定の電子透かし方式により入力デジタルデータに埋め込むので、情報埋め込みデジタルデータに埋め込まれている種々の関連情報の所要のものを、既定の電子透かし方式に対応したものとできる。
【０２３４】
この発明（請求項１９）によれば、請求項１のデータ処理装置において、上記情報埋め込みデジタルデータには複数の電子透かし方式によりそれぞれ、供給デジタルデータに対応する関連情報を埋め込み、これらの関連情報のうちの所定数の関連情報を、上記複数の電子透かし方式のうちの対応する電子透かし方式，あるいは上記複数の電子透かし方式のいずれとも異なる対応する電子透かし方式により入力デジタルデータに埋め込むので、情報埋め込みデジタルデータに埋め込まれている種々の関連情報の所要のものを、必要となる電子透かし方式に対応したものとできる。
【０２３５】
この発明（請求項２０）によれば、請求項６のデータ処理装置において、上記情報埋め込みデジタルデータには複数の電子透かし方式によりそれぞれ、供給デジタルデータに対応する関連情報を埋め込み、これらの関連情報の所定のものを既定の電子透かし方式により加工デジタルデータに埋め込むので、種々の関連情報を含む情報埋め込みデジタルデータを、種々の関連情報の所要のものを既定の電子透かし方式に対応させた新たなデジタルデータに変換できる。
【０２３６】
この発明（請求項２１）によれば、請求項６のデータ処理装置において、上記情報埋め込みデジタルデータには複数の電子透かし方式によりそれぞれ、供給デジタルデータに対応する情報を埋め込み、これらの関連情報のうちの所定数の関連情報を、上記複数の電子透かし方式のうちの対応する電子透かし方式により，あるいは上記複数の電子透かし方式のいずれとも異なる対応する電子透かし方式により加工デジタルデータに埋め込むので、種々の関連情報を含む情報埋め込みデジタルデータを、種々の関連情報の所要のものを、必要となる既定の電子透かし方式に対応させた新たなデジタルデータに変換できる。
【０２３７】
この発明（請求項２２）に係るデータ記録媒体によれば、配布元から利用者への供給の対象となる供給デジタルデータにその関連情報を埋め込んで得られる情報埋め込みデジタルデータを記録したデータ記録媒体において、上記情報埋め込みデジタルデータを、その固定長の第１のデータ部分には使用電子透かし方式を示す使用方式情報が埋め込まれ、その可変長の第２のデータ部分には使用電子透かし方式により、上記関連情報が埋め込まれたものとしたので、情報埋め込みデジタルデータを取得した装置では、情報埋め込みデジタルデータには如何なる電子透かし方式により埋め込み情報が挿入されているかを判別することが可能となり、埋め込み情報の抽出の際に他の方式を使用して誤った情報を抽出したり、埋め込み情報の除去の際に他の方式を使用して埋め込み情報以外の部分を誤って改変したりすることなく、埋め込み情報の抽出や除去を行うことが可能となる。また、情報埋め込みデジタルデータを取得した装置では、上記情報埋め込みデジタルデータにおける使用方式情報の位置を簡単に検出することができる。
【０２３８】
この結果、利用者への音声データなどのデジタルデータの配布を行う配布元では、所要の電子透かし方式を使用して、供給対象となる供給デジタルデータに関連情報を電子透かしとして埋めこむことが可能となる。言い換えると、デジタルデータの配布元では、特にこのデジタルデータがその利用者側で記録媒体に記録されるものである場合には、このデジタルデータの内容に応じて、情報の埋め込みに伴う劣化の最も少ない方式を選択することができる。また、このデジタルデータの送信時の通信速度などに応じて最適の方式を選択することが可能となる。
【０２３９】
また、ネットワーク上から取得した情報埋め込みデジタルデータを、書き込み可能な記録媒体に記録する場合には、該記録媒体に書き込まれるデジタルデータに対する情報埋め込み処理に使用される電子透かし方式を、供給デジタルデータに対するその配布元での情報埋め込み処理に使用されている使用電子透かし方式とは異なるものとすることが可能である。これによって、デジタルデータが再生される装置に応じた電子透かし方式によってデジタルデータに埋め込み情報を挿入することが可能である。
【０２４０】
この発明（請求項２３）によれば、請求項２２のデータ記録媒体において、上記情報埋め込み挿入デジタルデータの第１のデータ部分には、既定の電子透かし方式により、上記使用電子透かし方式を示す使用方式情報を埋め込んでいるので、使用電子透かし方式を示す使用方式情報の抽出は簡単に行うことができる。
【０２４１】
この発明（請求項２４）によれば、請求項２２のデータ記録媒体において、上記使用方式情報として、異なる使用電子透かし方式に対応する複数の使用方式情報を埋め込んでいるので、情報埋め込みデジタルデータを取得した装置では、複数の使用方式情報に基づいて、情報埋め込みデジタルデータの再生制御を行うことができる。
【０２４２】
この発明（請求項２５）に係るデータ記録媒体によれば、デジタルデータとして、配布元から利用者への供給の対象となる供給デジタルデータにその関連情報を埋め込んで得られる情報埋め込みデジタルデータと、該情報埋め込みデジタルデータに付随する、上記供給デジタルデータへの関連情報の埋め込み処理に用いられた使用電子透かし方式を示す使用方式情報とを記録したデータ記録媒体において、該情報埋め込みデジタルデータを、上記使用方式情報に基づいて適切な電子透かし方式を用いて上記関連情報を抽出あるいは除去する処理が可能なデータ構造としたので、情報埋め込みデジタルデータを取得した装置では、上記使用方式情報に基づいて、情報埋め込みデジタルデータに対する加工処理や再生処理を行うことができる。
【０２４３】
また、上記請求項２２と同様、情報埋め込みデジタルデータには如何なる電子透かし方式により埋め込み情報が挿入されているかを判別することが可能となり、埋め込み情報の抽出の際に他の方式を使用して誤った情報を抽出したり、埋め込み情報の除去の際に他の方式を使用して埋め込み情報以外の部分を誤って改変したりすることなく、埋め込み情報の抽出や除去を行うことが可能となる。
【０２４４】
この発明（請求項２６）によれば、請求項２５のデータ記録媒体において、上記使用方式情報として、異なる使用電子透かし方式に対応する複数の使用方式情報を埋め込んでいるので、情報埋め込みデジタルデータを取得した装置では、複数の使用方式情報に基づいて、情報埋め込みデジタルデータに対する加工処理や再生処理を行うことができる。
【図面の簡単な説明】
【図１】本発明の実施の形態１によるデータ処理装置を説明するためのブロック図である。
【図２】上記実施の形態１のデータ処理装置にネットワーク信号により供給される配布音声データＤauのデータ構造を示す図である。
【図３】上記配布音声データＤauに含まれる使用電子透かし方式情報を具体的に説明するための図であり、使用電子透かし方式情報としての２ビットデータ第１，第２ビットの値を示している。
【図４】本発明の実施の形態２によるデータ処理装置を説明するためのブロック図である。
【図５】上記実施の形態２のデータ処理装置に供給される音声データ属性情報に含まれる使用電子透かし方式情報のデータ構造を示す図である。
【図６】本発明の実施の形態３によるデータ処理装置を説明するためのブロック図である。
【図７】本発明の実施の形態４によるデータ処理装置を説明するためのブロック図である。
【図８】上記実施の形態４のデータ処理装置での処理対象となるビデオオブジェクトのデータ構造を示す図である。
【図９】上記ビデオオブジェクトに含まれる音声パケットのデータ構造を示す図である。
【図１０】上記音声パケットのヘッダＰahに使用電子透かし方式情報Ｉwmとして格納される２ビットデータの値、及び該値が示す意味を示す図である。
【図１１】本発明の実施の形態５によるデータ処理装置を説明するためのブロック図である。
【図１２】上記実施の形態５のデータ処理装置での処理対象となる、データ記録媒体に記録された配布音声データのデータ構造を示す図である。
【図１３】上記配布音声データにおけるＴＯＫ情報に含まれる使用電子透かし方式情報Ｉwmのデータ構造を示す図である。
【図１４】本発明の実施の形態６によるデータ処理装置を説明するためのブロック図である。
【図１５】上記実施の形態６のデータ処理装置に放送電波により供給される配布音声データにおける埋め込み情報（第１の埋め込み情報）のデータ構造（図(a)）、及び該第１の埋め込み情報を加工して得られる加工埋め込み情報（第２の埋め込み情報）のデータ構造（図(b)）を示す図である。
【図１６】上記第１の埋め込み情報Ｉwm１に含まれる記録時使用電子透かし方式情報Ｉrmの値及びその意味（図(a)）、及び上記第２の埋め込み情報Ｉwm２に含まれる記録時使用電子透かし方式情報Ｉumの値及びその意味（図(b)）を示す図である。
【図１７】図１７は本発明の実施の形態７によるデータ処理装置を説明するためのブロック図である。
【図１８】電子透かし技術として、デジタル映像データに、このデータの著作権者に関連する情報（電子透かし）を埋め込む手法について説明するための図であり、画像を構成する画素の配列（図(a)），この画像の細分化により得られるブロックにおける画素の配列（図(b)）を示している。
【図１９】デジタル音声データに対する情報埋め込み処理，情報抽出処理を概念的に示す図である。
【図２０】上記情報埋め込み処理のフローを示す図である。
【図２１】上記情報埋め込み処理における音声データのブロック化を説明するための図である。
【図２２】上記情報抽出処理のフローを示す図である。
【図２３】本発明の前提となる電子配信システムにおけるデジタル音楽データの流れを示す概念図である。
【符号の説明】
１１０，１２０，１３０，１４０，１５０，１６０，１７０  データ処理装置
１１１，１２１，１３１，１４１，１５１，１６１，１７１  取得部
１１１ａ，１２１ａ，１３１ａ，１７１ａ  ネットワークインターフェイス
１１１ｂ，１２１ｂ，１３１ｂ，１７１ｂ  受信信号デコーダ
１１２，１２２，１３２，１４３，１５３，１６２，１７２  抽出部
１１２ａ，１３２ａ，１４３ａ，１５３ａ，１６２ａ  方式Ａ抽出器
１１２ｂ，１３２ｂ，１４３ｂ，１５３ｂ，１６２ｂ  方式Ｂ抽出器
１１２ｃ，１３２ｃ，１４３ｃ，１５３ｃ，１６２ｃ  方式Ｃ抽出器
１１２  ｄ，１４３ｄ，１５３ｄ  方式Ｄ抽出器
１１３，１２４，１３３，１４６，１５５，１６４，１７４  挿入部
１１４，１２５，１３４，１４７，１５７，１６７，１７６  記録部
１１５，１２６，１３５，１４８，１５８，１６７，１７７  制御部
１２２ａ１，１７２ａ１  方式１抽出器
１２２ａ２，１７２ａ２  方式２抽出器
１２２ａｎ，１７２ａｎ  方式ｎ抽出器
１２３ａ，１４５ａ，１５６ａ，１７５ａ  音声デコーダ
１２３ｂ，１４５ｂ，１５６ｂ，１７５ｂ  スピーカ
１３１ｃ，１４１ａ，１５１ａ  ＤＶＤ−ＲＯＭドライブ
１３１ｄ  半導体メディア読込装置
１３３ａ  方式Ａ挿入器
１３５ａ  テーブル
１４２  分離部
１４４  映像再生部
１４４ａ  ＴＶ受像器
１４４ｂ  映像デコーダ
１４５、１５６，１７５  音声再生部
１５２  保持部
１５２  ａ  ＴＯＫ情報保持領域
１５４，１６３，１７３  除去部
１５４ａ，１６３ａ  方式Ａ除去器
１５４ｂ，１６３ｂ  方式Ｂ除去器
１５４ｃ，１６３ｃ  方式Ｃ除去器
１５４ｄ  方式Ｄ除去器
１６１ａ  アンテナ
１６１ｂ  受信デコーダ
１６５  装置情報保持部
１６５ａ  装置固有番号保持領域
１７２ａ１  方式１除去器
１７２ａ２  方式２除去器
１７２ａｎ  方式ｎ除去器
Ｂｃ  放送局
Ｂｗ  放送電波
Ｄau  配布音声データ
Ｄa1，Ｄa2，…，Ｄan  音声データ＃１，＃２，…，＃ｎ
Ｄau１  第１のデータ部分
Ｄau２  第２のデータ部分
Ｄbus  データバス
Ｉum(1)  方式１使用状況情報
Ｉum(2)  方式２使用状況情報
Ｉum(n)  方式ｎ使用状況情報
Ｉusａ  方式Ａ使用状況情報
Ｉusｂ  方式Ｂ使用状況情報
Ｉusｃ  方式Ｃ使用状況情報
Ｉusｄ  方式Ｄ使用状況情報
Ｖｏｂ  ビデオオブジェクト
Ｐａｈ  音声パケットヘッダ
Ｆpk  パケット種別フラグ
Ｉrt  再生時間情報
Ｉｄss  サブストリームＩＤ
Ｉum  使用電子透かし方式情報
Ｉwm１，Ｉwm２  第１，第２の埋め込み情報
Ｉcr  著作権情報
Ｉrm  記録時使用電子透かし方式情報
Ｉdi  記録装置識別番号情報
Ｉcg  コピー世代情報
Ｉcs  コピー元情報
Ｉtc  ＴＯＣ情報
Ｉr1  音声データ＃１用再生情報
Ｉr2  音声データ＃２用再生情報
Ｉrn  音声データ＃ｎ用再生情報
Ｉsp  音声データ記録開始位置情報
Ｉep  音声データ記録終了位置情報
Ｉna  曲名情報
Ｉqu  量子化数情報
Ｉsa  サンプリングレート情報
Ｉch  チャンネル数情報
Ｉwm  使用電子透かし方式情報
Ｐａｄ  音声データ部
Ｐａ１，Ｐａ２，…，Ｐａｍ  音声パケット＃１，＃２，…，＃ｍ
Ｐｖ１，Ｐｖ２，…，Ｐｖｋ  映像パケット＃１，＃２，…，＃ｎ
【図１】
0004087537.tif 000029
【図２】
0004087537.tif 000030
【図３】
0004087537.tif 000031
【図４】
0004087537.tif 000032
【図５】
0004087537.tif 000033
【図６】
0004087537.tif 000034
【図７】
0004087537.tif 000035
【図８】
0004087537.tif 000036
【図９】
0004087537.tif 000037
【図１０】
0004087537.tif 000038
【図１１】
0004087537.tif 000039
【図１２】
0004087537.tif 000040
【図１３】
0004087537.tif 000041
【図１４】
0004087537.tif 000042
【図１５】
0004087537.tif 000043
【図１６】
0004087537.tif 000044
【図１７】
0004087537.tif 000045
【図１８】
0004087537.tif 000046
【図１９】
0004087537.tif 000047
【図２０】
0004087537.tif 000048
【図２１】
0004087537.tif 000049
【図２２】
0004087537.tif 000050
【図２３】
0004087537.tif 000051